(57)【要約】通信ネットワークを介して接続される情報処理装置は、第１の情報処理システムにしたがって第１のコンテンツの第１のコンテンツデータを送信するために前記情報処理装置と他の情報処理装置との間で設定された通信経路から、該他の情報処理装置に第２の情報処理システムにしたがって第１のコンテンツに関して作成される第２のコンテンツの第２のコンテンツデータを送信する送信部を有する。
2016178365.tif 000002
【特許請求の範囲】
【請求項１】
通信ネットワークを介して接続される情報処理装置であって、
第１の情報処理システムにしたがって第１のコンテンツの第１のコンテンツデータを送信するために前記情報処理装置と他の情報処理装置との間で設定された通信経路から、該他の情報処理装置に第２の情報処理システムにしたがって前記第１のコンテンツに関して作成される第２のコンテンツの第２のコンテンツデータを送信する送信部
を有する、情報処理装置。
【請求項２】
前記第１のコンテンツデータを送信するために前記情報処理装置と他の情報処理装置との間で通信経路を設定する設定部
を有する、請求項１に記載の情報処理装置。
【請求項３】
前記情報処理装置に入力される前記第１のコンテンツを表示するコンテンツ処理部と、
前記第１のコンテンツに対する操作を受け付ける操作受付部と、
該操作受付部によって受け付けた操作に基づいて、前記第２のコンテンツの第２のコンテンツデータを作成する操作処理部と
を有する、請求項１または２に記載の情報処理装置。
【請求項４】
前記操作処理部は、前記第２のコンテンツデータを直列化し、
前記送信部は、前記直列化した前記第２のコンテンツデータを前記通信経路から前記他の情報処理装置に送信する、請求項３に記載の情報処理装置。
【請求項５】
前記設定部は、前記他の情報処理装置との間で通信ポートを追加することによって、前記通信経路を設定する、請求項２に記載の情報処理装置。
【請求項６】
前記操作処理部は、前記第１のコンテンツに対する操作に基づいて入力された座標からストロークを示すストロークデータを生成する、請求項３または４に記載の情報処理装置。
【請求項７】
通信ネットワークを介して接続される情報処理装置によって実行される情報処理方法であって、
第１の情報処理システムにしたがって第１のコンテンツの第１のコンテンツデータを送信するためのセッションを確立した他の情報処理装置との間で設定された通信経路から、該他の情報処理装置に第２の情報処理システムにしたがって前記第１のコンテンツに関して作成される第２のコンテンツの第２のコンテンツデータを送信する、情報処理方法。
【請求項８】
請求項７に記載の情報処理方法を情報処理装置に実行させるための情報処理プログラム。
【発明の詳細な説明】
【技術分野】
【０００１】
本発明は、情報処理装置システムに関する。
【背景技術】
【０００２】
企業や教育機関、行政機関等における会議等において、大型ディスプレイに表示させた背景画像に文字や数字、図形等のストローク画像を描画可能な電子黒板が利用されている。電子黒板の一例として、表示装置を制御するコンピュータ装置が背景画像に挿入画像を重畳して表示装置に表示させる電子情報ボードシステムが知られている（例えば、特許文献１参照）。
【先行技術文献】
【特許文献】
【０００３】
【特許文献１】特開２０１３−１３１２０４号公報
【発明の概要】
【発明が解決しようとする課題】
【０００４】
テレビ会議システムを利用していたユーザに電子黒板の利用を促すことを考える。この場合、テレビ会議システムを利用していたユーザに、電子黒板の機能を追加させることによって電子黒板を利用させるのが好ましい。これによって、テレビ会議システムのＵＩ(User Interface)をそのまま利用できるなどの利便性を向上できるため、電子黒板の導入を促進させることができる。ここで、テレビ会議システムと電子黒板とを共存させるには、テレビ会議システムを動作させるソフトウェアと、電子黒板を動作させるソフトウェアとを独立して動作させることが考えられる。【０００５】
しかし、テレビ会議システムを動作させるソフトウェアと、電子黒板を動作させるソフトウェアとを独立して動作させるには、テレビ会議を行う拠点間の通信経路と、該拠点間で電子黒板を用いて通信を行う通信経路とを確保することが必要となる。このため、電子黒板の導入先において、ネットワーク資源を圧迫するおそれがある。【０００６】
以上は、テレビ会議システムなどの第１の情報処理システムに電子黒板などの第２の情報処理システムの機能を導入する場合に当てはまる。【０００７】
本発明は上記の問題点に鑑み提案されたものであり、その目的とするところは、第１の情報処理システムに第２の情報処理システムの機能を導入した場合にネットワーク資源を有用に利用することにある。
【課題を解決するための手段】
【０００８】
開示の一実施の形態の情報処理装置は、
通信ネットワークを介して接続される情報処理装置であって、
第１の情報処理システムにしたがって第１のコンテンツの第１のコンテンツデータを送信するために前記情報処理装置と他の情報処理装置との間で設定された通信経路から、該他の情報処理装置に第２の情報処理システムにしたがって前記第１のコンテンツに関して作成される第２のコンテンツの第２のコンテンツデータを送信する送信部
を有する。
【発明の効果】
【０００９】
開示の実施の形態によれば、第１の情報処理システムに第２の情報処理システムの機能を導入した場合にネットワーク資源を有用に利用することができる。
【図面の簡単な説明】
【００１０】
【図１】本実施の形態に係る画像処理システムの全体構成図である。
【図２】電子黒板のハードウェア構成図である。
【図３】伝送管理システムのハードウェア構成図である。
【図４】電子黒板の機能ブロック図である。
【図５】ファイル処理部の機能ブロック図である。
【図６】サーバ部及び通信制御部の機能ブロック図である。
【図７】ページデータを示す概念図である。
【図８】ストロークデータを示す概念図である。
【図９】座標配列データを示す概念図である。
【図１０】メディアデータを示す概念図である。
【図１１】遠隔ライセンス管理テーブルを示す概念図である。
【図１２】アドレス帳管理テーブルを示す概念図である。
【図１３】バックアップデータを示す概念図である。
【図１４】接続先管理テーブルを示す概念図である。
【図１５】参加拠点管理テーブルを示す概念図である。
【図１６】操作データを示す概念図である。
【図１７】各画像レイヤの構成図である。
【図１８】伝送管理システムの機能ブロック図である。
【図１９】認証管理テーブルの一例を示す図である。
【図２０】端末管理テーブルの一例を示す図である。
【図２１】画像処理システムの処理を示したシーケンス図である。
【図２２】各電子黒板の処理を示したシーケンス図である。
【図２３】各電子黒板の処理を示したシーケンス図である。
【図２４】本実施の形態に係る画像処理システムの概略図である。
【図２５】基本的な配信方法を示した概念図である。
【図２６】マルチキャストの概念図である。
【図２７】マルチディスプレイの概念図である。
【図２８】配信制御装置を介して複数の通信端末を使った複合配信の概念図である。
【図２９】本実施の形態に係る配信制御装置及び管理装置のハードウェア構成図である。
【図３０】本実施の形態に係る配信制御装置の各機能を示す機能ブロック図である。
【図３１】エンコーダブリッジ部の詳細図である。
【図３２】変換部の各機能を示す機能ブロック図である。
【図３３】本実施の形態に係る通信端末の各機能を示す機能ブロック図である。
【図３４】本実施の形態に係る配信制御装置の基本的な配信処理を示したシーケンス図である。
【図３５】本実施の形態に係る配信制御装置を介して複数の通信端末を使った配信の処理を示すシーケンス図である。
【図３６】本実施の形態の配信制御装置のホワイトボード部によるレンダリング処理の流れを示すフローチャートである。
【図３７】メタストローク情報の一例を示す図である。
【発明を実施するための形態】
【００１１】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１２】
以下、図面を用いて、本発明の一実施の形態を説明する。
【００１３】
＜第１の実施の形態＞
＜画像処理システムの概要＞
図１は、本実施の形態の画像処理システム１の全体構成図である。なお、図１では、説明を簡略化するために、２台の電子黒板（ホワイトボード）２ａ，２ｂおよびこれに付随する電子ペン４ａ，４ｂ等を示しているが、３台以上の電子黒板や電子ペン等を利用してもよい。
【００１４】
一般に画像処理システムなどの伝送システムには、伝送管理システムを介して一方の電子黒板などの通信端末から他方の電子黒板などの通信端末に一方向でコンテンツデータを通信するデータ提供システムや、伝送管理システムを介して複数の通信端末間で情報や感情等を相互に伝達するコミュニケーションシステムが含まれる。このコミュニケーションシステムは、コミュニケーション管理システム（「伝送管理システム」に相当）を介して複数のコミュニケーション端末（「通信端末」に相当）間で情報や感情等を相互に伝達するためのシステムであり、テレビまたはビデオ会議システム、テレビ電話システム、音声会議システム、音声電話システム、ＰＣ（Personal computer）画面共有システム等が例として挙げられる。
【００１５】
図１に示されているように、画像処理システム１は、複数の電子黒板２ａ，２ｂ、複数の電子ペン４ａ，４ｂ、ＵＳＢメモリ５ａ，５ｂ、ノートＰＣ(Personal Computer)６ａ，６ｂ、テレビ（ビデオ）会議端末７ａ，７ｂ、伝送管理システム５０、およびＰＣ８を有する。また、電子黒板２ａ，２ｂ、会議端末７ａ，７ｂ、伝送管理システム５０、およびＰＣ８は、通信ネットワーク９を介して通信可能に接続されている。さらに、複数の電子黒板２ａ，２ｂには、それぞれディスプレイ３ａ，３ｂが設けられている。
【００１６】
電子黒板２は、他の電子黒板またはテレビ（ビデオ）会議端末７、およびＰＣ８との間で、画像データ、音声データ等の送受信を行うようになっている。例えば、通信ＩＤが「０１ａａ」である電子黒板２ａと、通信ＩＤが「０１ｂｂ」である電子黒板２ｂとの間で高画質の画像データ、音声データ等の送受信を行うことによってテレビ会議を行うことができる。本実施の形態では、画像データの画像が静止画の場合について説明するが、静止画だけでなく動画であってもよい。また、画像データの画像に動画と静止画の両方が含まれていてもよい。伝送管理システム５０は、複数の電子黒板２を一元的に管理するためのものである。
【００１７】
また、電子黒板２ａは、電子ペン４ａによって生じたイベント（ディスプレイ３ａに電子ペン４ａのペン先、又は、電子ペン４ａのペン尻のタッチ）により描画された画像を、ディスプレイ３ａに表示させることができる。なお、電子黒板２ａは、電子ペン４ａだけでなく、ユーザの手Ｈａ等によって生じたイベント（拡大、縮小、ページめくり等のジェスチャ）に基づいて、ディスプレイ３ａ上に表示されている画像を変更させることもできる。
【００１８】
また、電子黒板２ａには、ＵＳＢメモリ５ａが接続可能であり、電子黒板２ａはＵＳＢメモリ５ａからＰＤＦ(Portable Document Format)等の電子ファイルを読み出したり、電子黒板２ａはＵＳＢ(Universal Serial Bus)メモリ５ａに電子ファイルを記録したりすることができる。また、電子黒板２ａには、DisplayPort、DVI(Digital Visual Interface)、HDMI（登録商標）(High-Definition Multimedia Interface)およびVGA(Video Graphics Array)等の規格による通信が可能なケーブル１０ａ１を介して、ノートＰＣ６ａが接続されている。そして、電子黒板２ａは、ディスプレイ３ａに対する接触によってイベントを発生させ、このイベントを示すイベント情報を、マウスやキーボード等の入力装置からのイベントと同様に、ノートＰＣ６ａに送信する。通信ネットワーク９には、上記規格による通信が可能なケーブル１０ａ２を介して、テレビ（ビデオ）会議端末７ａが接続されている。なお、ノートＰＣ６ａ、およびテレビ会議端末７ａは、Bluetooth（登録商標）等の各種無線通信プロトコルに準拠した無線通信により、電子黒板２ａと通信してもよい。
【００１９】
一方、電子黒板２ｂが設置されている他の拠点では、上記の電子黒板２ａと同様に、ディスプレイ３ｂを備えた電子黒板２ｂ、電子ペン４ｂ、ＵＳＢメモリ５ｂ、ノートＰＣ６ｂ、テレビ会議端末７ｂ、ケーブル１０ｂ１、ケーブル１０ｂ２が利用される。さらに、ユーザの手Ｈｂ等によって生じたイベントに基づいて、ディスプレイ３ｂ上に表示されている画像を変更させることもできる。
【００２０】
これにより、一の拠点で電子黒板２ａのディスプレイ３ａ上に描画された画像は、他の拠点で電子黒板２ｂのディスプレイ３ｂ上にも表示され、逆に他の拠点で電子黒板２ｂのディスプレイ３ｂ上に描画された画像は、一の拠点で電子黒板２ａのディスプレイ３ａ上に表示される。このように、画像処理システム１では、遠隔地において同じ画像を共有する遠隔共有処理を行うことができるため、遠隔地での会議等に用いると、非常に便利である。
【００２１】
なお、以下では、複数の電子黒板のうち任意の電子黒板を示す場合には「電子黒板２」と示す。複数のディスプレイのうち任意のディスプレイを示す場合には「ディスプレイ３」と示す。複数の電子ペンのうち任意の電子ペンを示す場合には「電子ペン４」と示す。複数のＵＳＢメモリのうち任意のＵＳＢメモリを示す場合には「ＵＳＢメモリ５」と示す。複数のノートＰＣのうち任意のノートＰＣを示す場合には「ノートＰＣ６」と示す。複数のテレビ会議端末のうち任意のテレビ会議端末を示す場合には「テレビ会議端末７」と示す。また、複数のユーザの手のうち任意の手を示す場合には「手Ｈ」と示す。複数のケーブルのうち任意のケーブルを示す場合には「ケーブル１０」と示す。
【００２２】
本実施の形態では、コミュニケーションシステムの一例としての画像処理システム、コミュニケーション管理システムの一例としての伝送管理システム、およびコミュニケーション端末の一例としての電子黒板を想定した上で、画像処理システム、および伝送管理システム、および電子黒板について説明する。すなわち、電子黒板および伝送管理システムは、画像処理システム、テレビまたはビデオ会議システムに適用されるだけでなく、コミュニケーションシステム、または伝送システムにも適用される。
【００２３】
また、本実施の形態では、情報処理装置の一例として、電子黒板を説明するが、これに限るものではなく、情報処理装置の他の例として、デスクトップ型ＰＣやタブレット型ＰＣや、電子看板（デジタルサイネージ）、スポーツや天気予報等で利用されるテレストレータ、又は、遠隔画像（映像）診断装置等の画像処理装置であってもよい。また、情報処理端末の一例として、ノートＰＣ６を説明するが、これに限るものではなく、情報処理端末の他の例として、デスクトップ型ＰＣやタブレット型ＰＣ、ＰＤＡ、デジタルビデオカメラ、デジタルカメラ、ゲーム機等の画像フレームを供給可能な端末であってもよい。さらに、通信ネットワークには、インターネット、ＬＡＮ(Local Area Network)、携帯電話通信網等が含まれる。また、本実施の形態では、記録媒体の一例として、ＵＳＢメモリを説明するが、これに限るものではなく、記録媒体の他の例として、ＳＤカード等の各種記録メディアであってもよい。
【００２４】
＜電子黒板のハードウェア構成＞
図２を用いて、本実施の形態の電子黒板のハードウェア構成を説明する。なお、図２は、電子黒板のハードウェア構成図である。
【００２５】
図２に示されているように、電子黒板２は、電子黒板２全体の動作を制御するＣＰＵ１０１、ＩＰＬ等のＣＰＵ１０１の駆動に用いられるプログラムを記憶したＲＯＭ１０２、ＣＰＵ１０１のワークエリアとして使用されるＲＡＭ１０３、電子黒板用のプログラム等の各種データを記憶するＳＳＤ１０４、通信ネットワーク９との通信を制御するネットワークコントローラ１０５、および、ＵＳＢメモリ５との通信を制御する外部記憶コントローラ１０６を備えている。さらに、電子黒板２は、ＣＰＵ１０１の制御に従って被写体を撮像し画像データを得るカメラ１０７と、このカメラ１０７の駆動を制御する撮像素子Ｉ／Ｆ１０８と、ノートＰＣ６のディスプレイに対して映像情報を静止画または動画として表示させるキャプチャデバイス１１１、グラフィクスを専門に扱うＧＰＵ(Graphics Processing Unit)１１２、および、ＧＰＵからの出力画像をディスプレイ３やテレビ会議端末７へ出力するために画面表示の制御および管理を行うディスプレイコントローラ１１３を備えている。さらに、電子黒板２は、接触センサ１１５の処理を制御するセンサコントローラ１１４、ディスプレイ３上に電子ペン４やユーザの手Ｈ等が接触したことを検知する接触センサ１１５を備えている。本実施の形態における、この接触センサ１１５は、赤外線遮断方式による座標の入力および座標の検出を行う。この座標の入力および座標の検出する方法は、ディスプレイ３の上側両端部に設置された２つ受発光装置が、ディスプレイ３に平行して複数の赤外線を放射し、ディスプレイ３の周囲に設けられた反射部材によって反射されて、受光素子が放射した光の光路と同一の光路上を戻って来る光を受光する方法である。接触センサ１１５は、物体によって遮断された２つの受発光装置が放射した赤外線のＩＤ(Identification)をセンサコントローラ１１４に出力し、センサコントローラ１１４が、物体の接触位置である座標位置を特定する。なお、以下に示す全ての各ＩＤは、識別情報の一例である。
【００２６】
また、接触センサ１１５としては、赤外線遮断方式に限らず、静電容量の変化を検知することにより接触位置を特定する静電容量方式のタッチパネル、対向する２の抵抗膜の電圧変化によって接触位置を特定する抵抗膜方式のタッチパネル、接触物体が表示部に接触することによって生じる電磁誘導を検知して接触位置を特定する電磁誘導方式のタッチパネルなどの種々の検出手段を用いてもよい。また、接触センサ１１５は、カメラを用いて、接触を判断し、座標位置を特定するものであっても良い。
【００２７】
また、電子黒板２は、電子ペンコントローラ１１６を備えている。この電子ペンコントローラ１１６は、電子ペン４と通信することで、ディスプレイ３へのペン先のタッチやペン尻のタッチの有無を判断する。なお、電子ペンコントローラ１１６が、電子ペン４のペン先およびペン尻だけでなく、電子ペン４のユーザが握る部分や、その他の電子ペンの部分のタッチの有無を判断するようにしてもよい。
【００２８】
さらに、電子黒板２は、音声を入力するマイク１２２と、音声を出力するスピーカ１２３と、ＣＰＵ１０１の制御に従ってマイク１２２およびスピーカ１２３との間で音声信号の入出力を処理する音声入出力Ｉ／Ｆ１２４と、ユーザの操作を受け付ける操作ボタン１２５と、電子黒板２の電源のＯＮ／ＯＦＦを切り換えるための電源スイッチ１２６と、を備えている。
【００２９】
さらに、電子黒板２は、ＣＰＵ１０１、ＲＯＭ１０２、ＲＡＭ１０３、ＳＳＤ１０４、ネットワークコントローラ１０５、外部記憶コントローラ１０６、キャプチャデバイス１１１、ＧＰＵ１１２、センサコントローラ１１４、電子ペンコントローラ１１６、撮像素子Ｉ／Ｆ１０８、音声入出力Ｉ／Ｆ１２４、操作ボタン１２５、および電源スイッチ１２６を、図２に示されているように電気的に接続するためのアドレスバスやデータバス等のバスライン１２０を備えている。
【００３０】
なお、電子黒板用のプログラムは、ＣＤ−ＲＯＭ等のコンピュータで読み取り可能な記録媒体や、ネットワーク上のサーバに記録して流通やダウンロードさせるようにしてもよい。
【００３１】
＜伝送管理システム５０のハードウェア構成＞
図３を用いて、本実施の形態に係る伝送管理システムのハードウェア構成を説明する。なお、図３は、伝送管理システム５０のハードウェア構成図である。
【００３２】
伝送管理システム５０は、伝送管理システム５０全体の動作を制御するＣＰＵ２０１と、伝送管理用プログラムを記憶したＲＯＭ２０２と、ＣＰＵ２０１のワークエリアとして使用されるＲＡＭ２０３と、各種データを記憶するＨＤ(Hard Disk)２０４と、ＣＰＵ２０１の制御に従ってＨＤ２０４に対する各種データの読み出しおよび書き込みを制御するＨＤＤ２０５と、フラッシュメモリ等の記録メディア２０６に対するデータの読み出しおよび書き込み（記憶）を制御するメディアドライブ２０７とを備えている。さらに、伝送管理システム５０は、カーソル、メニュー、ウィンドウ、文字、画像等の各種情報をディスプレイ２１６に表示させるためのディスプレイＩ／Ｆ２０８と、通信ネットワーク９を利用してデータ伝送をするためのネットワークＩ／Ｆ２０９と、文字、数値、各種指示等を入力するための複数のキーを備えたキーボード２１１と、各種指示の選択や実行、処理対象の選択、マウスカーソルなどのポインティングデバイスの移動等を行うマウス２１２とを備えている。さらに、伝送管理システム５０は、着脱可能な記録媒体の一例としてのＣＤ−ＲＯＭ(Compact Disc Read Only Memory)２１３に対するデータの読み出しおよび書き込みを制御するＣＤ−ＲＯＭドライブ２１４と、外部の装置との間で情報を送受信するための外部装置Ｉ／Ｆ２１５と、上記各構成要素間を相互に電気的に接続するためのアドレスバスやデータバス等のバスライン２１０とを備えている。
【００３３】
また、上記伝送管理用プログラムは、インストール可能な形式または実行可能な形式のファイルで、上記記録メディア２０６やＣＤ−ＲＯＭ２１３等のコンピュータで読み取り可能な記録媒体に記録して流通させるようにしてもよい。上記伝送管理用プログラムはＨＤ２０４に記憶されていてもよい。
【００３４】
＜電子黒板の機能構成＞
図４を用いて、電子黒板２の全体的な機能構成について説明する。図４は、電子黒板２の機能ブロック図である。
【００３５】
電子黒板２は、図２に示されているハードウェア構成およびプログラムによって、図４に示されている各機能構成を有する。電子黒板２は、最初に遠隔共有処理を開始する「主催装置」となり得ると共に、既に開始されている遠隔共有処理に後から参加する「参加装置」にもなり得る。また、電子黒板２は、大きく分けて、クライアント部２０およびサーバ部９０の両方によって構成されている。クライアント部２０およびサーバ部９０のうち、電子黒板２にクライアント部２０を備え、サーバ部９０を配信制御装置などの電子黒板２とは異なる装置とするようにしてもよい。クライアント部２０およびサーバ部９０は、電子黒板２の１台の筐体内で実現される機能である。そして、電子黒板２が主催装置となる場合には、この電子黒板２では、クライアント部２０とサーバ部９０が実現（実行）される。また、電子黒板２が参加装置となる場合には、この電子黒板２では、クライアント部２０は実現（実行）されるが、サーバ部９０は実現（実行）されない。即ち、図１において、電子黒板２ａが主催装置で、電子黒板２ｂが参加装置となる場合、電子黒板２ａのクライアント部２０は、同じ電子黒板２ａ内に実現されたサーバ部９０を介して、他の電子黒板２ｂのクライアント部２０と通信を行う。一方、電子黒板２ｂのクライアント部２０は、他の電子黒板２ａ内に実現されたサーバ部９０を介して、他の電子黒板２ａのクライアント部と通信を行う。
【００３６】
〔クライアント部２０の機能構成〕
続いて、クライアント部２０の機能構成について説明する。図４に示されるように、クライアント部２０は、操作入力受付部１１、ログイン要求部１２、音声入出力部１３、撮像部１４、映像取得部２１、座標検知部２２、自動調整部２３、接触検知部２４、イベント振分部２５、操作処理部２６、ジェスチャ処理部２７、映像重畳部２８、画像処理部３０、および通信制御部６０を有する。これら各機能部は、図２に示される各構成要素のいずれかが、ＲＯＭ１０２に格納されているプログラムに従ったＣＰＵ１０１からの命令により動作することで実現される機能または手段である。これら各機能部のうち、操作入力受付部１１、ログイン要求部１２、音声入出力部１３、および撮像部１４を実現する電子会議システム用プログラムと、映像取得部２１、座標検知部２２、自動調整部２３、接触検知部２４、イベント振分部２５、操作処理部２６、ジェスチャ処理部２７、映像重畳部２８、画像処理部３０、および通信制御部６０を実現する電子黒板用プログラムとが用意されてもよい。この場合、ＲＯＭ１０２に格納されている電子会議システム用プログラムと、電子黒板用プログラムとが協調してＣＰＵ１０１を動作させる。また、電子黒板２は、図２に示されるＳＳＤ１０４によって構築される記憶部を有している。
【００３７】
操作入力受付部１１は、図２に示される操作ボタン１２５および電源スイッチ１２６によって実現され、ユーザによる各種入力を受け付ける。例えば、ユーザが、電子黒板２の本体の電源スイッチをＯＮにすると、操作入力受付部１１が電源ＯＮを受け付けて、電源をＯＮにする。
【００３８】
ログイン要求部１２は、図２に示されるＣＰＵ１０１からの命令によって実現され、ユーザの操作を契機として、通信制御部６０から通信ネットワーク９を介して伝送管理システム５０に、ログインを要求する旨を示すログイン要求情報、および電子黒板２の現時点のＩＰアドレスを自動的に送信する。
【００３９】
音声入出力部１３は、図２に示されるマイク１２２、スピーカ１２３、および音声入出力Ｉ／Ｆ１２４によって実現される。音声入出力部１３は、ユーザの音声を入力し、この音声を音声信号に変換することで音声信号に係る音声データを出力するとともに、音声データに係る音声信号を音声に変換して出力する。撮像部１４は、図２に示されるカメラ１０７および撮像素子Ｉ／Ｆ１０８によって実現され、被写体を撮像した画像を表す画像データを生成する。
【００４０】
映像取得部２１は、ケーブル１０に接続された映像出力機器の出力映像を取得する。映像取得部２１は、映像出力機器から画像信号を受信すると、この画像信号を解析して、この画像信号によって形成される映像出力機器の表示画像である画像フレームの解像度や、この画像フレームの更新頻度などの画像情報を導出し、画像取得部３１に出力する。出力映像などの画像データおよび表示データは、例えばＪＰＥＧ(Joint Photographic Experts Group)、Ｂｉｔｍａｐ、ＧＤＩ(Graphics Device Interface)等の形式のデータである。
【００４１】
座標検知部２２は、ディスプレイ３上でユーザによって生じたイベント（ディスプレイ３上にユーザの手Ｈがタッチされた動作等）の座標位置を検出する。また、座標検知部２２は、タッチされた面積も検出する。
【００４２】
自動調整部２３は、電子黒板２の起動時に起動され、接触センサ１１５が座標検知部２２に適切な値を出力できるように、接触センサ１１５の光センサ方式におけるセンサーカメラの画像処理のパラメータを調整する。
【００４３】
接触検知部２４は、ユーザによって生じたイベント（ディスプレイ３上に電子ペン４のペン先又は電子ペン４のペン尻が押下（タッチ）された動作等）を検出する。
【００４４】
イベント振分部２５は、座標検知部２２によって検知されたイベントの座標位置と接触検知部２４によって検出された検出結果を、ストローク描画、ＵＩ操作、およびジェスチャ操作の各イベントに振り分ける。
【００４５】
ここで、「ストローク描画」は、ディスプレイ３上に後述のストローク画像（Ｂ）が表示されている場合（図１７参照）に、ユーザがディスプレイ３上で電子ペン４を押下し、この押下した状態で電子ペン４を移動させ、最終的にディスプレイ３上から電子ペン４を離すまでのイベントである。このストローク描画により、例えば、アルファベット「Ｓ」や「Ｔ」等がディスプレイ３上に描画される。なお、この「ストローク描画」には、画像を描画するだけでなく、既に描画された画像を削除したり、描画された画像を編集したりするイベントも含まれる。
【００４６】
「ＵＩ操作」は、ディスプレイ３上に後述のＵＩ画像（Ａ）が表示されている場合（図１７参照）に、ユーザが電子ペン４又は手Ｈによって所定の位置を押下したイベントである。このＵＩ操作により、例えば、電子ペン４により描画される線の色や幅等が設定される。
【００４７】
「ジェスチャ操作」は、ディスプレイ３上に後述のストローク画像（Ｂ）が表示されている場合（図１７参照）に、ユーザが手Ｈでディスプレイ３上をタッチしたり移動したりさせるイベントである。このジェスチャ操作により、例えば、ユーザがディスプレイ３に手Ｈをタッチさせた状態で手Ｈを移動させることで、画像の拡大（若しくは縮小）、表示領域の変更、又は、ページ切り換え等を行うことができる。
【００４８】
操作処理部２６は、イベント振分部２５によってＵＩ操作と判断されたものから、イベントが発生されたＵＩの要素に従って、各種操作を実行する。このＵＩの要素としては、例えば、ボタン、リスト、チェックボックス、テキストボックスが挙げられる。
【００４９】
ジェスチャ処理部２７は、イベント振分部２５によってジェスチャ操作と判断されたものに対応した操作を実行する。
【００５０】
映像重畳部２８は、後述の表示重畳部３６で重畳された画像を映像として映像出力機器（ディスプレイ３等）に対して表示する。また、映像重畳部２８は、映像出力機器（ノートＰＣ６等）からの映像に対して、他の映像出力機器（テレビ会議端末７等）から送られて来た映像をピクチャ・イン・ピクチャする。さらに、映像重畳部２８は、ピクチャ・イン・ピクチャされてディスプレイ３の一部に表示された映像を、ディスプレイ３の全体に表示させるための切り替えを行う。
【００５１】
画像処理部３０は、各画像レイヤの重畳処理等を行う。画像処理部３０は、画像取得部３１、ストローク処理部３２、ＵＩ画像生成部３３、背景生成部３４、レイアウト管理部３５、表示重畳部３６、ページ処理部３７、ファイル処理部４０、ページデータ記憶部３００、および遠隔ライセンス管理テーブル３１０を有している。
【００５２】
このうち、画像取得部３１は、映像取得部２１で取得された映像から、各フレームを画像として取得する。画像取得部３１は、この画像のデータを、ページ処理部３７に出力する。この画像は、映像出力機器（ノートＰＣ６等）からの出力画像（Ｃ）に相当する。また、画像取得部３１は、この画像のデータをテキスト化することによってシリアライズし（図８参照）、インスタントメッセージなどのコミュニケーション用アプリケーションを使用して通信制御部６０の後述する遠隔画像送信部６３に送信する。
【００５３】
ストローク処理部３２は、イベント振分部２５によって割り振られたストローク描画に係るイベントに基づいて、画像を描画したり、描画された画像を削除したり、描画された画像を編集する。このストローク描画による画像は、ストローク画像（Ｂ）に相当する。また、このストローク描画に基づいた画像の描画、削除、編集の各結果は、後述の操作データとして、データ管理部８０の操作データ記憶部８４０に記憶される。
【００５４】
ＵＩ画像生成部３３は、電子黒板２に予め設定されているＵＩ（ユーザインターフェース）画像を生成する。このＵＩ画像は、ＵＩ画像（Ａ）に相当する。
【００５５】
背景生成部３４は、ページ処理部３７がページデータ記憶部３００から読み出したページデータのうちのメディアデータを、ページ処理部３７から受信する。背景生成部３４は、この受信したメディアデータを表示重畳部３６に出力する。また、このメディアデータによる画像は、背景画像（Ｄ）に相当する。背景画像（Ｄ）のパターンは、無地、グリッド表示等である。
【００５６】
レイアウト管理部３５は、表示重畳部３６に対して、画像取得部３１、ストローク処理部３２、およびＵＩ画像生成部３３（又は背景生成部３４）から出力された各画像のレイアウトを示すレイアウト情報を管理している。これにより、レイアウト管理部３５は、表示重畳部３６に対して、出力画像（Ｃ）およびストローク画像（Ｂ）を、ＵＩ画像（Ａ）および背景画像（Ｄ）中のどの位置に表示させるか又は非表示にさせるかを指示することができる。
【００５７】
表示重畳部３６は、レイアウト管理部３５から出力されたレイアウト情報に基づき、画像取得部３１、ストローク処理部３２、およびＵＩ画像生成部３３（背景生成部３４）から出力された各画像のレイアウトを行う。
【００５８】
ページ処理部３７は、ストローク画像（Ｂ）のデータと出力画像（Ｃ）のデータを、１つのページデータにまとめてページデータ記憶部３００に記憶する。ストローク画像（Ｂ）のデータは、ストローク配列データＩＤで示されるストローク配列データ（各ストロークデータ）として、ページデータの一部を成す。出力画像（Ｃ）のデータは、メディアデータＩＤで示されているメディアデータとして、ページデータの一部を成す。そして、このメディアデータは、ページデータ記憶部３００から読み出されると、背景画像（Ｄ）のデータとして取り扱われる。
【００５９】
また、ページ処理部３７は、一旦記憶されたページデータのうちのメディアデータを、背景生成部３４を介して表示重畳部３６に送信する。これによって、映像重畳部２８は、背景画像（Ｄ）をディスプレイ３に再表示することができる。また、ページ処理部３７は、ページデータのうちのストローク配列データ（各ストロークデータ）を、ストローク処理部３２に戻すことで、ストロークの再編集ができる状態にすることができる。さらに、ページ処理部３７は、ページデータを削除したり複製したりすることもできる。
【００６０】
即ち、ページ処理部３７がページデータ記憶部３００にページデータを記憶する時点でディスプレイ３上に表示されている出力画像（Ｃ）のデータは、一旦、ページデータ記憶部３００に記憶され、その後にページデータ記憶部３００から読み出される際には、背景画像（Ｄ）を示すメディアデータとして読み出される。そして、ページ処理部３７は、ページデータ記憶部３００から読み出したページデータのうち、ストローク画像（Ｂ）を示すストローク配列データを、ストローク処理部３２に出力する。また、ページ処理部３７は、ページデータ記憶部３００から読み出したページデータのうち、背景画像（Ｄ）を示すメディアデータを、背景生成部３４に出力する。
【００６１】
表示重畳部３６は、画像取得部３１からの出力画像（Ｃ）、ストローク処理部３２からのストローク画像（Ｂ）、ＵＩ画像生成部３３からのＵＩ画像（Ａ）、および、背景生成部３４からの背景画像（Ｄ）を、レイアウト管理部３５によって指定されたレイアウトに従って重畳する。これにより、各画像が重なってもユーザが見える順に、ＵＩ画像（Ａ）、ストローク画像（Ｂ）、出力画像（Ｃ）、および背景画像（Ｄ）の各レイアの構成となる。
【００６２】
また、表示重畳部３６は、画像（Ｃ）と画像（Ｄ）を切り替えて、画像（Ａ）および画像（Ｂ）に対して排他的に重畳することも可能である。例えば、当初、画像（Ａ）、画像（Ｂ）および画像（Ｃ）が表示されている状態で、電子黒板２と映像出力機器（ノートＰＣ６等）との間のケーブル１０が抜かれた場合には、レイアウト管理部３５の指定によって、画像（Ｃ）を重畳対象から外し、画像（Ｄ）を表示させることができる。この場合に、表示重畳部３６は、表示の拡大、表示の縮小、表示領域の移動処理も行う。
【００６３】
ページデータ記憶部３００は、ページデータを記憶する。図７は、ページデータを示す概念図である。ページデータは、ディスプレイ３に表示される１ページ分のデータ（ストローク配列データ（各ストロークデータ）およびメディアデータ）である。なお、ページデータに含まれるパラメータの種類が多いため、ここでは、図７乃至１０に分けて、ページデータの内容を説明する。
【００６４】
ページデータは、図７に示されているように、任意の１ページを識別するためのページデータＩＤ、このページの表示を開始した時刻を示す開始時刻、ストロークやジェスチャ等によるページの内容の書き換えが行われなくなった時刻を示す終了時刻、電子ペン４やユーザの手Ｈによるストロークによって生じたストローク配列データを識別するためのストローク配列データＩＤ、およびメディアデータを識別するためのメディアデータＩＤが関連付けられて記憶されている。ストローク配列データは、ストローク画像（Ｂ）がディスプレイ３上に表示されるためのデータである。メディアデータは、背景画像（Ｄ）がディスプレイ３上に表示されるためのデータである。
【００６５】
このようなページデータにより、例えば、ユーザが電子ペン４によってアルファベット「Ｓ」を描く場合は一筆書きとなるため、ストロークデータＩＤが１つで一文字のアルファベット［Ｓ］が示される。ところが、ユーザが電子ペン４によってアルファベット「Ｔ」を描く場合、二筆書きとなるため、ストロークデータＩＤが２つで一文字のアルファベット「Ｔ」が示されることになる。
【００６６】
また、ストローク配列データは、図８に示されているように詳細な情報を示している。図８は、ストローク配列データを示す概念図である。図８に示されているように、１つのストローク配列データは、複数のストロークデータによって表される。そして、１つのストロークデータは、このストロークデータを識別するためのストロークデータＩＤ、１つのストロークの書き始めの時刻を示す開始時刻、１つのストロークの書き終わりの時刻を示す終了時刻、ストロークの色、ストロークの幅、および、ストロークの通過点の配列を識別するための座標配列データＩＤを示している。
【００６７】
さらに、この座標配列データは、図９に示されているように詳細な情報を示している。図９は、座標配列データを示す概念図である。図９に示されているように、座標配列データは、ディスプレイ３上の１点（Ｘ座標値、Ｙ座標値）、この１点を通過したときのストロークの開始時刻からの差分の時刻（ｍｓ）、および、この１点における電子ペン４の筆圧の各情報を示している。即ち、図９に示されている１点の集まりが、図８に示されている１つの座標配列データで示されている。例えば、ユーザが電子ペン４によってアルファベット「Ｓ」を描く場合、一筆書きとなるが、「Ｓ」を描き終えるまでに、複数の通過点を通過するため、座標配列データは、これら複数の通過点の情報を示している。
【００６８】
また、図７に示されているページデータのうちのメディアデータは、図１０に示されているように詳細な情報を示している。図１０は、メディアデータを示す概念図である。図１０に示されているように、メディアデータは、図７に示されているページデータにおけるメディアデータＩＤ、メディアデータのデータ種類、ページ処理部３７からページデータ記憶部３００にページデータが記憶された記録時刻、ページデータによってディスプレイ３上に表示される画像の位置（Ｘ座標値、Ｙ座標値）および画像のサイズ（幅、高さ）、並びにメディアデータの内容を示すデータが関連付けられて示されている。このうち、ページデータによってディスプレイ３上に表示される画像の位置は、ディスプレイ３の左上端の座標を（Ｘ座標値，Ｙ座標値）＝（０，０）とした場合に、ページデータによって表示される画像の左上端の位置を示している。
【００６９】
図４に戻り説明を続ける。遠隔ライセンス管理テーブル３１０は、遠隔共有処理を実行するために必要なライセンスデータを管理する。この遠隔ライセンス管理テーブル３１０では、図１１に示されているように、電子黒板２のプロダクトＩＤ、認証に用いられるライセンスＩＤ、およびライセンスの有効期限が関連付けて管理されている。
【００７０】
（ファイル処理部４０の機能構成）
続いて、図５を用いて、図４に示されているファイル処理部４０の機能構成を説明する。なお、図５は、ファイル処理部４０の機能ブロック図である。
【００７１】
ファイル処理部４０は、リカバリ処理部４１、ファイル入力部４２ａ、ファイル出力部４２ｂ、ファイル変換部４３、ファイル送信部４４、アドレス帳入力部４５、バックアップ処理部４６、バックアップ出力部４７、設定管理部４８、設定ファイル入力部４９ａ、設定ファイル出力部４９ｂ、およびアドレス帳入力部５０を有している。さらに、ファイル処理部４０は、アドレス帳管理テーブル４１０、バックアップデータ記憶部４２０、設定ファイル記憶部４３０、および接続先管理テーブル４４０を有している。
【００７２】
このうち、リカバリ処理部４１は、電子黒板２が異常終了した際に、異常終了を検知し、未保存のページデータを復旧する。例えば、正常終了の場合は、ページデータがＰＤＦファイルとしてファイル処理部４０を介してＵＳＢ５に記録されるが、電源がダウンした等の異常終了の場合は、ページデータがページデータ記憶部３００に記録されたままになっている。そのため、再び、電源オンになった際に、リカバリ処理部４１は、ページデータ記憶部３００からページデータを読み出すことで復旧させる。
【００７３】
ファイル入力部４２ａは、ＵＳＢメモリ５から、ＰＤＦファイルを読み込み、各ページをページデータとしてページデータ記憶部３００に記憶する。
【００７４】
ファイル変換部４３は、ページデータ記憶部３００に記憶されているページデータを、ＰＤＦ形式のファイルに変換する。
【００７５】
ファイル出力部４２ｂは、ファイル変換部４３によって出力されたＰＤＦファイルをＵＳＢメモリ５に記録する。
【００７６】
ファイル送信部４４は、ファイル変換部４３によって生成されたＰＤＦファイルを、電子メールに添付して送信する。このＰＤＦファイルの送信先は、表示重畳部３６によってディスプレイ３上にアドレス帳管理テーブル４１０の内容を表示し、ファイル送信部４４がユーザによるタッチパネル等の入力装置の操作により、宛先の選択を受け付けることによって決定される。アドレス帳管理テーブル４１０には、図１２に示されているように、宛先の名前および宛先の電子メールのメールアドレスが関連付けられて管理されている。また、ファイル送信部４４が、ユーザによるタッチパネル等の入力装置の操作により、宛先としてのメールアドレスの入力を受け付けることもできる。
【００７７】
アドレス帳入力部４５は、ＵＳＢメモリ５から電子メールアドレスの一覧ファイルを読み込み、アドレス帳管理テーブル４１０に管理する。
【００７８】
バックアップ処理部４６は、ファイル出力部４２ｂによって出力されたファイルや、ファイル送信部４４によって送信されたファイルを、バックアップデータ記憶部４２０に記憶することでバックアップする。なお、ユーザがバックアップ設定しない場合は、バックアップの処理は行われない。バックアップデータは、図１３に示されているように、ＰＤＦ形式で記憶される。
【００７９】
バックアップ出力部４７は、バックアップされたファイルをＵＳＢメモリ５に記憶する。この記憶の際には、ユーザによるタッチパネル等の入力装置の操作により、セキュリティーのためにパスワードが入力される。
【００８０】
設定管理部４８は、電子黒板２の各種設定情報を設定ファイル記憶部４３０に記憶したり読み出したりして管理する。この各種設定情報としては、例えば、ネットワーク設定、日付や時刻の設定、地域や言語の設定、メールサーバの設定、アドレス帳の設定、接続先リストの設定、バックアップに関する設定が挙げられる。なお、ネットワーク設定は、例えば、電子黒板２のＩＰアドレスの設定、ネットマスクの設定、デフォルトゲートウェイの設定、又はＤＮＳ(Domain Name System)の設定等である。
【００８１】
設定ファイル出力部４９ｂは、電子黒板２の各種設定情報を、設定ファイルとしてＵＳＢメモリ５に記録させる。なお、設定ファイルはセキュリティーによって、ユーザは中身を見ることができない。
【００８２】
設定ファイル入力部４９ａは、ＵＳＢメモリ５に記憶されている設定ファイルを読み込み、各種設定情報を電子黒板２の各種設定に反映させる。
【００８３】
接続先入力部５０は、ＵＳＢメモリ５から遠隔共有処理の接続先ＩＰアドレスの一覧ファイルを読み込み、接続先管理テーブル４４０で管理する。なお、図１４に示されているように、接続先管理テーブル４４０は、電子黒板２が遠隔共有処理に参加しようとする参加装置である場合、この参加装置のユーザが主催装置としての役割を果たす電子黒板のＩＰアドレスを入力する手間を削減するために、予め管理しておくためのテーブルである。この接続先管理テーブル４４０では、参加されることが可能な主催装置としての電子黒板２が設置されている拠点の名称、および主催装置としての電子黒板２のＩＰアドレスが関連付けて管理されている。
【００８４】
なお、接続先管理テーブル４４０は、省略することも可能である。但し、この場合には、参加装置のユーザは、主催装置との間で遠隔要求処理の開始するために、タッチパネル等の入力装置によって、主催装置のＩＰアドレスを入力する必要がある。そのため、参加装置のユーザは、電話や電子メール等によって、主催装置のユーザから、主催装置のＩＰアドレスを知得する。
【００８５】
（通信制御部６０の機能構成）
次に、図６を用いて、通信制御部６０の機能構成について説明する。
【００８６】
通信制御部６０は、通信ネットワーク９を介して、他の電子黒板２とメッセージ通信ポートを開くことなどの通信経路を設定するために行う通信や、サーバ部９０における後述の通信制御部７０と行う通信を制御する。そのため、通信制御部６０は、遠隔開始処理部６１、遠隔参加処理部６２、遠隔画像送信部６３、遠隔画像受信部６４、遠隔操作送信部６５、遠隔操作受信部６６、および参加拠点管理テーブル６１０を有している。
【００８７】
このうち、遠隔開始処理部６１は、同じ電子黒板２のサーバ部９０に対して、メッセージ通信ポートを追加して開くことを要求するとともに新たに遠隔共有処理を開始する要求を行い、サーバ部９０から要求の結果を受信する。この場合、遠隔開始処理部６１は、遠隔ライセンス管理テーブル３１０を参照し、ライセンス情報（プロダクトＩＤ、ライセンスＩＤ、および有効期限）が管理されている場合には、遠隔共有処理を開始する要求を行うことができる。但し、ライセンス情報が管理されていない場合には遠隔共有処理を開始する要求を行うことができない。
【００８８】
参加拠点管理テーブル６１０は、電子黒板２が主催装置である場合、現在、遠隔共有処理に参加している参加装置としての電子黒板を管理するテーブルである。この参加拠点管理テーブル６１０では、図１５に示されているように、参加中の電子黒板２が設置されている拠点の名称および当該電子黒板２のＩＰアドレスが関連付けて管理されている。
【００８９】
遠隔参加処理部６２は、通信ネットワーク９を介して、既に遠隔共有処理を開始している主催装置としての電子黒板２のサーバ部９０における遠隔接続要求受信部７１に対して、メッセージ通信ポートを追加して開くことを要求するとともに遠隔共有処理への参加要求を行う。この場合も、遠隔参加処理部６２は、遠隔ライセンス管理テーブル３１０を参照する。また、遠隔参加処理部６２が、既に開始されている遠隔共有処理に参加する場合には、接続先管理テーブル４４０を参照して、参加先の電子黒板２のＩＰアドレスを取得する。なお、遠隔参加処理部６２によって接続先管理テーブル４４０が参照されず、ユーザによるタッチパネル等の入力装置の操作により参加先の電子黒板２のＩＰアドレスが入力されてもよい。
【００９０】
遠隔画像送信部６３は、映像取得部２１から画像取得部３１を介して送られて来た出力画像（Ｃ）を、追加して開いたメッセージ通信ポート（以下、「追加メッセージ通信ポート」という）からサーバ部９０に送信する。
【００９１】
遠隔画像受信部６４は、サーバ部９０から、他の電子黒板２に接続された映像出力機器によって送信された画像データを追加メッセージ通信ポートから受信し、表示重畳部３６に出力することで、遠隔共有処理を可能にする。
【００９２】
遠隔操作送信部６５は、遠隔共有処理に必要な各種操作データを追加メッセージ通信ポートからサーバ部９０に送信する。この各種操作データとしては、例えば、ストロークの追加、ストロークの削除、ストロークの編集（拡大、縮小、移動）、ページデータの記憶、ページデータの作成、ページデータの複製、ページデータの削除、表示されているページの切り替え等に関するデータが挙げられる。また、遠隔操作受信部６６は、サーバ部９０から、他の電子黒板２で入力された操作データを追加メッセージ通信ポートから受信し、画像処理部３０に出力することで、遠隔共有処理を行う。
【００９３】
〔サーバ部の機能構成〕
続いて、図６を用いて、サーバ部９０の機能構成について説明する。サーバ部９０は、各電子黒板２に設けられており、いずれの電子黒板２であっても、サーバ部としての役割を果たすことができる。そのため、サーバ部９０は、通信制御部７０、およびデータ管理部８０を有している。
【００９４】
（通信制御部７０の機能構成）
次に、図６を用いて、通信制御部７０の機能構成について説明する。
【００９５】
通信制御部７０は、同じ電子黒板２内のクライアント部２０における通信制御部７０、および通信ネットワーク９を介して他の電子黒板２内のクライアント部２０における通信制御部７０との間における通信を制御する。データ管理部８０は、操作データや画像データ等を管理する。
【００９６】
さらに詳細に説明すると、通信制御部７０は、遠隔接続要求受信部７１、遠隔接続結果送信部７２、遠隔画像受信部７３、遠隔画像送信部７４、遠隔操作受信部７５、および遠隔操作送信部７６を有している。
【００９７】
このうち、遠隔接続要求受信部７１は、遠隔開始処理部６１から、メッセージ通信ポートの追加を要求するメッセージ通信ポート追加要求や、遠隔共有処理の開始要求を受信したり、遠隔参加処理部６２からのメッセージ通信ポートを追加するメッセージ通信ポート追加要求や、遠隔共有処理に対する参加要求を受信したりする。遠隔接続結果送信部７２は、遠隔開始処理部６１へメッセージ通信ポートの追加の要求の結果、遠隔共有処理の開始要求の結果を送信したり、遠隔参加処理部６２へメッセージ通信ポートの追加の要求の結果や、遠隔共有処理に対する参加要求の結果を送信したりする。
【００９８】
遠隔画像受信部７３は、遠隔画像送信部６３からの画像データ（出力画像（Ｃ）のデータ）を追加メッセージ通信ポートから受信し、後述の遠隔画像処理部８２に送信する。遠隔画像送信部７４は、遠隔画像処理部８２から画像データを受信し、遠隔画像受信部６４に対して、この画像データを追加メッセージ通信ポートから送信する。
【００９９】
遠隔操作受信部７５は、遠隔操作送信部６５からの操作データ（ストローク画像（Ｂ）等のデータ）を追加メッセージ通信ポートから受信し、後述の遠隔操作処理部８３に送信する。遠隔操作送信部７６は、遠隔操作処理部８３から操作データを受信し、遠隔操作受信部６６に対して、この操作データを追加メッセージ通信ポートから送信する。
【０１００】
（データ管理部の機能構成）
次に、図６を用いて、データ管理部８０の機能構成について説明する。
【０１０１】
データ管理部８０は、遠隔接続処理部８１、遠隔画像処理部８２、遠隔操作処理部８３、操作合成処理部８４、およびページ処理部８５を有している。さらに、データ管理部８０は、パスコード管理部８１０、参加拠点管理テーブル８２０、画像データ記憶部８３０、操作データ記憶部８４０、およびページデータ記憶部８５０を有している。
【０１０２】
このうち、遠隔接続処理部８１は、遠隔共有処理の開始、および遠隔共有処理の終了を行う。また、遠隔接続処理部８１は、遠隔接続要求受信部７１が遠隔開始処理部６１から受信したメッセージ通信ポート追加要求にしたがってメッセージ通信ポートを開く。また、遠隔接続処理部８１は、遠隔開始処理部６１から遠隔共有処理の開始要求と共に受信したライセンス情報、又は、遠隔参加処理部６２から遠隔共有処理の参加要求と共に受信したライセンス情報に基づいて、ライセンスの有無やライセンスの期間内であるかを確認する。さらに、遠隔接続処理部８１は、クライアント部としての他の電子黒板２からの参加要求が予め定められた参加可能数を超えていないかを確認する。さらに、遠隔接続処理部８１は、他の電子黒板２からのメッセージ通信ポート追加要求にしたがってメッセージ通信ポートを開く。また、遠隔接続処理部８１は、他の電子黒板２から遠隔共有処理に対する参加要求があった際に送られて来たパスコードが、パスコード管理部８１０で管理されているパスコードと同じであるか否かを判断し、同じである場合には、遠隔共有処理の参加を許可する。なお、このパスコードは、新たに遠隔共有処理を開始する際に、遠隔接続処理部８１によって発行され、遠隔共有処理に参加しようとする参加装置としての電子黒板２のユーザが、主催装置としての電子黒板２のユーザから、電話や電子メール等により伝えられる。これにより、遠隔共有処理に参加しようとする参加装置のユーザが、タッチパネル等の入力装置によって参加装置にパスコードを入力して参加要求することで、参加が許可されることになる。なお、セキュリティーよりもユーザの使い勝手を優先して、ライセンス状況の確認だけで、パスコードの確認を省略してもよい。
【０１０３】
また、電子黒板２が主催装置の場合、遠隔接続処理部８１は、参加装置の遠隔参加処理部６２から通信ネットワーク９を介して送られて来た参加要求に含まれる参加拠点情報を、サーバ部９０の参加拠点管理テーブル８２０に記憶する。そして、遠隔接続処理部８１は、参加拠点管理テーブル８２０に記憶されている遠隔拠点情報を読み出し、遠隔接続結果送信部７２に送信する。遠隔接続結果送信部７２は、同じ主催装置のクライアント部２０における遠隔開始処理部６１に遠隔拠点情報を送信する。遠隔開始処理部６１は、参加拠点管理テーブルに６１０に、遠隔拠点情報を記憶する。これにより、主催装置では、クライアント部２０およびサーバ部９０の両方で、遠隔拠点情報を管理することになる。
【０１０４】
遠隔画像処理部８２は、遠隔共有処理中の各電子黒板２のクライアント部２０（主催装置である自己の電子黒板２のクライアント部２０を含む）に接続された映像出力機器（ノートＰＣ６等）からの画像データ（出力画像（Ｃ））を追加メッセージ通信ポートを介して受信して画像データ記憶部８３０に記憶する。さらに、遠隔画像処理部８２は、主催装置である自己の電子黒板２のサーバ部９０に届いた時間順で遠隔共有処理すべき画像データの表示順を判定する。また、遠隔画像処理部８２は、参加拠点管理テーブル８２０を参照し、遠隔共有処理に参加中の全ての電子黒板２のクライアント部２０（主催装置である自己の電子黒板２のクライアント部２０を含む）に、通信制御部７０（遠隔画像送信部７４）を介して、上記判定した順番で画像データを送信する。
【０１０５】
遠隔操作処理部８３は、遠隔共有処理中の各電子黒板２のクライアント部２０（主催装置である自己の電子黒板２のクライアント部２０を含む）で描画されたストローク画像等の各種操作データ（ストローク画像（Ｂ）等）を追加メッセージ通信ポートを介して受信し、主催装置である自己の電子黒板２のサーバ部９０に届いた時間順で遠隔共有処理すべき画像の表示順を判定する。なお、各種操作データは、上述の各種操作データと同じである。また、遠隔操作処理部８３は、参加拠点管理テーブル８２０を参照し、遠隔共有処理中の全ての電子黒板２のクライアント部２０（主催装置である自己の電子黒板のクライアント部を含む）に操作データを送信する。
【０１０６】
操作合成処理部８４は、遠隔操作処理部８３から出力された各電子黒板２の操作データを合成し、この合成結果としての操作データを、操作データ記憶部８４０に記憶するとともに遠隔操作処理部８３に戻す。この操作データは、遠隔操作送信部７６から、主催装置である電子黒板２のクライアント部２０、および参加装置である電子黒板２のクライアント部２０のそれぞれに追加メッセージ通信ポートを介して送信されることで、各電子黒板２で同じ操作データに係る画像が表示される。そのために、操作データは、図１６に示されているように、SEQ(Sequence)、操作データの操作名、操作データの送信元である電子黒板２のＩＰアドレスおよびクライアント部（サーバ部）のPort No.、操作データの送信先である電子黒板２のＩＰアドレスおよびクライアント部２０（サーバ部９０）のPort No,、操作データの操作種類、操作データの操作対象、並びに操作データの内容を示すデータが関連付けられて示されている。例えば、SEQ1では、主催装置である電子黒板２（ＩＰアドレス：192.0.0.1）のクライアント部２０（Port No.:50001）でストロークが描画されると、同じ主催装置である電子黒板２（ＩＰアドレス：192.0.0.1）のサーバ部９０（Port No.:50000）に操作データが送られたことが示されている。この場合の操作種類は「STROKE」、操作対象はページデータＩＤ「p005」、および、操作データの内容を示すデータはストロークを示すデータである。また、SEQ2では、主催装置である電子黒板２（ＩＰアドレス：192.0.0.1）のサーバ部９０（Port No.:50000）から、参加装置である他の電子黒板２（ＩＰアドレス：192.0.0.1）のクライアント部２０（Port No.:50001）に、操作データが送られたことが示されている。
【０１０７】
なお、操作合成処理部８４は、この操作合成処理部８４に操作データが入力された順に合成を行うため、通信ネットワーク９が混雑していなければ、各電子黒板２のユーザによるストローク順に、遠隔共有処理中の全ての電子黒板２のディスプレイ３にストローク画像（Ｂ）が表示される。
【０１０８】
ページ処理部８５は、クライアント部２０の画像処理部３０におけるページ処理部３７と同様の機能を有し、サーバ部９０でも、図７乃至図９に示されているページデータを、ページデータ記憶部８５０に記憶する。なお、ページデータ記憶部８５０は、画像処理部３０におけるページデータ記憶部３００と同じ内容である。
【０１０９】
＜伝送管理システムの機能構成＞
次に、伝送管理システム５０の機能（または手段）について説明する。伝送管理システム５０は、図１８に示されるように送受信部５１と、認証部５２と、管理部５３と、セッション制御部５７と、記憶・読出処理部５９とを有している。これら各機能部は、図３に示される各構成要素のいずれかが、ＲＯＭ２０２に記憶されているプログラムに従ったＣＰＵ２０１からの命令によって動作することで実現される機能または手段である。また、伝送管理システム５０は、図３に示されるＲＯＭ２０２、ＲＡＭ２０３またはＨＤＤ２０５によって構築される記憶部５０００を有している。
【０１１０】
＜認証管理テーブル＞
また、記憶部５０００には、図１９に示されるような認証管理テーブルによって構成される認証管理ＤＢ５００２が構築されている。この認証管理テーブルでは、伝送管理システム５０によって管理される全ての電子黒板２の各通信ＩＤに対して、各パスワードが関連付けられて管理される。例えば、図１９に示される端末認証管理テーブルにおいて、電子黒板２ａの通信ＩＤは「０１ａａ」で、パスワードは「ａａａａ」であることが示されている。
【０１１１】
＜端末管理テーブル＞
また、記憶部５０００には、図２０に示されるような端末管理テーブルによって構成される端末管理ＤＢ５００３が構築されている。この端末管理テーブルでは、各電子黒板２の通信ＩＤ毎に、各電子黒板２の稼働状態、後述のログイン要求情報が伝送管理システム５０で受信された受信日時および電子黒板２のＩＰアドレスが関連付けられて管理される。例えば、図２０に示される端末管理テーブルにおいて、通信ＩＤが「０１ａａ」の電子黒板２ａは、稼働状態が「ＯＮライン」であり、伝送管理システム５０でログイン要求情報が受信された日時が「２００９年１１月１０日の１３時４０分」であり、この電子黒板２ａのＩＰアドレスが「１．２．１．３」であることが示されている。
【０１１２】
＜伝送管理システムの各機能部＞
次に、伝送管理システム５０の各機能部について詳細に説明する。なお、以下の記載では、伝送管理システム５０の各機能部を説明するにあたって、図３に示される各構成要素のうち、伝送管理システム５０の各機能部を実現させるための主な構成要素との関係についても説明する。
【０１１３】
まず、送受信部５１は、図３に示されるネットワークＩ／Ｆ２０９によって実行され、通信ネットワーク９を介して電子黒板２との間で各種データの送受信を行う。認証部５２は、送受信部５１を介して受信されたログイン要求情報に含まれている通信ＩＤおよびパスワードを検索キーとし、記憶部５０００の端末認証管理ＤＢ５００２を検索し、端末認証管理ＤＢ５００２に同一の通信ＩＤおよびパスワードが管理されているかを判断することによって端末認証を行う。
【０１１４】
管理部５３は、ログイン要求してきた電子黒板２の稼働状態を管理すべく、端末管理テーブルに、この電子黒板２の通信ＩＤ、電子黒板２の稼働状態、伝送管理システム５０でログイン要求情報が受信された受信日時、および電子黒板２のＩＰアドレスを関連付けて記憶して管理する。
【０１１５】
セッション制御部５７は、ＣＰＵ２０１からの命令によって実現され、電子黒板（２ａ，２ｂ）間で通信ネットワーク９を介して画像データおよび音データなどを送信する通信セッションの確立を制御する。通信セッションを確立させる方法は、特に限定されないが、例えば、通信ネットワーク９に画像データおよび音データなどを中継する中継装置が設けられている場合には、この中継装置に接続するための接続情報を、セッション制御部５７による制御に基づいて、送受信部５１が電子黒板（２ａ，２ｂ）へ送信する方法が挙げられる。また、セッション制御部５７による制御に基づいて、送受信部５１は、中継装置へ、電子黒板（２ａ，２ｂ）間での画像データおよび音データの中継開始の要求を送信してもよい。上記の制御に基づいて、通信セッションが確立されると、電子黒板（２ａ，２ｂ）は、通信相手である電子黒板（２ｂ，２ａ）との間で画像データおよび音データを送受信することができるようになる。
【０１１６】
＜実施の形態の処理又は動作＞
続いて、図２１乃至図２３を用いて、本実施の形態の処理又は動作について説明する。なお、図２１乃至図２３は、各電子黒板の処理を示したシーケンス図である。
【０１１７】
図２１に示す実施の形態では、電子黒板２ａが遠隔共有処理を主催する主催装置（サーバ部９０およびクライアント部２０）としての役割を果たしており、電子黒板２ｂが遠隔共有処理に参加する参加装置（クライアント部２０）としての役割を果たす場合について説明する。図２２および図２３に示す実施の形態では、電子黒板２ａが遠隔共有処理を主催する主催装置（サーバ部９０およびクライアント部２０）としての役割を果たしており、電子黒板２ｂ，２ｃが遠隔共有処理に参加する参加装置（クライアント部２０）としての役割を果たす場合について説明する。また、ここでは、電子黒板２ａ，２ｂ，２ｃには、それぞれディスプレイ３ａ，３ｂ，３ｃが接続され、さらに、それぞれノートＰＣ６ａ，６ｂ，６ｃが接続されている。また、電子黒板２ａ，２ｂ，２ｃでは、それぞれ電子ペン４ａ，４ｂ，４ｃが使用される。
【０１１８】
（セッション確立処理）
図２１を用いて、電子黒板２ａ，２ｂがセッションを確立する処理について説明する。
【０１１９】
電子黒板２ａは、ログイン要求部１２によって、管理システム５０に対し、ログイン要求を行う（ステップＳ１）。このログイン要求には、ログイン要求元の電子黒板２ａを識別するための通信ＩＤおよびパスワードが含まれる。これにより、管理システム５０の送受信部５１は、ログイン要求並びに通信ＩＤおよびパスワードを受信する。
【０１２０】
次に、認証部５２は、送受信部５１によって受信された通信ＩＤおよびパスワードの組と同じ組が、認証管理テーブル（図１９参照）で管理されているかを判断することで、ログイン要求元の電子黒板２ａの認証を行う（ステップＳ２）。そして、この認証により、正当な電子黒板であると判断された場合には、管理部５３は、端末管理テーブル（図２０参照）の対応する通信ＩＤに対して、稼動状態「ＯＮライン」を管理する（ステップＳ３）。
【０１２１】
次に、送受信部５１は、ログイン要求元の電子黒板２ａに対して、認証結果を送信する（ステップＳ４）。これにより、電子黒板２ａのログイン要求部１２は、認証結果を受信する。そして、上記ステップＳ２により、正当な電子黒板２であると判断された場合には、ログイン要求元の電子黒板２ａと管理システム５０との間で通信セッションｓｅｉが確立される（ステップ５）。なお、電子黒板間の通信セッション（ｓｅｄ１）と区別するため、各種電子黒板２と、管理システム５０との間の通信セッションを、通信セッションｓｅｉと表記する。
【０１２２】
同じく、図２１に示されているように、電子黒板２ｂは、ログイン要求部１２によって、管理システム５０に対し、ログイン要求を行う（ステップＳ６）。このログイン要求には、ログイン要求元の電子黒板２ｂを識別するための通信ＩＤおよびパスワードが含まれる。これにより、管理システム５０の送受信部５１は、ログイン要求並びに通信ＩＤおよびパスワードを受信する。
【０１２３】
次に、認証部５２は、送受信部５１によって受信された通信ＩＤおよびパスワードの組と同じ組が、認証管理テーブル（図１９参照）で管理されているかを判断することで、ログイン要求元の電子黒板２ｂの認証を行う（ステップＳ７）。そして、この認証により、正当な電子黒板であると判断された場合には、管理部５３は、端末管理テーブル（図２０参照）の対応する通信ＩＤに対して、稼動状態「ＯＮライン（通信可能）」を管理する（ステップＳ８）。
【０１２４】
次に、送受信部５１は、ログイン要求元の電子黒板２ｂに対して、認証結果を送信する（ステップＳ９）。これにより、電子黒板２ｂのログイン要求部１２は、認証結果を受信する。そして、上記ステップＳ７により、正当な電子黒板であると判断された場合には、ログイン要求元の電子黒板２ｂと管理システム５０との間で通信セッションｓｅｉが確立される（ステップ１０）。
【０１２５】
続いて、電子黒板間でコンテンツデータを送信する通信セッションを確立する処理を説明する。上記の電子黒板間でコンテンツデータを送信する通信セッションには、電子黒板２間で音データ、画像データ、および操作データを送信する通信セッションｓｅｄ１が含まれる。
【０１２６】
電子黒板２ａは、ユーザによる操作ボタン１２５の操作に応じて、通信制御部６０によって、管理システム５０に対し、通信の開始要求を行う（ステップＳ１１）。この通信の開始要求には、通信の開始要求元の電子黒板２ａの通信ＩＤ、および宛先の電子黒板２ｂの通信ＩＤが含まれている。以下、通信の開始要求元は電子黒板２ａであり、宛先は電子黒板２ｂである場合について説明する。
【０１２７】
管理システム５０の送受信部５１は、通信の開始要求を受信する。続いて、管理システム５０の管理部５３は、端末管理テーブル（図２０参照）における、通信の開始要求元の電子黒板２ａの通信ＩＤに対して、稼働状態「ＯＮライン（通信中）」を管理する（ステップＳ１２）。
【０１２８】
次に、管理システム５０の送受信部５１は、宛先の電子黒板２ｂに対して、通信の開始要求を行う（ステップＳ１３）。この通信の開始要求には、上記ステップＳ１１によって送られて来た通信の開始要求元の電子黒板２ａの通信ＩＤおよび宛先の電子黒板２ｂの通信ＩＤが含まれている。これにより、宛先の電子黒板２ｂは、通信の開始要求を受信する。
【０１２９】
これに対して、電子黒板２ｂは、ユーザによる操作ボタン１２５の操作に応じて、通信制御部６０によって、管理システム５０に対し、応答可否を示す情報を送信する（ステップＳ１４）。この応答可否を示す情報には、宛先の電子黒板２ｂ側でユーザが通話を開始する場合には応答する旨が示され、宛先の電子黒板２ｂ側でユーザが通話を開始しない場合には応答しない旨が示される。以下、電子黒板２ｂが、応答する旨を示す情報を管理システム５０へ送信した場合について説明を続ける。
【０１３０】
これにより、管理システム５０の送受信部５１は、応答可否を示す情報を受信する。続いて、管理システム５０の管理部５３は、端末管理テーブル（図２０参照）における、宛先の電子黒板２ｂの通信ＩＤに対して、稼働状態「ＯＮライン（通信中）」を管理する（ステップＳ１５）。
【０１３１】
次に、管理システム５０の送受信部５１は、開始要求元の電子黒板２ａに対し、上記ステップＳ１４によって宛先の電子黒板２ｂから送られて来た、応答する旨を示す情報を送信する（ステップＳ１６）。これにより、電子黒板２ａは、通信制御部６０によって、応答する旨を示す情報を受信する。
【０１３２】
続いて、管理システム５０のセッション制御部５７は、電子黒板（２ａ，２ｂ）間で通信ネットワーク９を介して画像データおよび音データを送信する通信セッションｓｅｄ１の確立を制御する（ステップＳ１７）。通信セッションｓｅｄ１を確立させる方法は、特に限定されないが、例えば、通信ネットワーク９に画像データおよび音データを中継する中継装置が設けられている場合には、この中継装置に接続するための接続情報を、セッション制御部５７による制御に基づいて、送受信部５１が電子黒板（２ａ，２ｂ）へ、送信する方法が挙げられる。また、セッション制御部５７による制御に基づいて、送受信部５１は、中継装置へ、電子黒板（２ａ，２ｂ）間での画像データおよび音データの中継開始の要求を送信してもよい。上記の制御に基づいて、通信セッションｓｅｄ１は確立される（ステップＳ１８）。これにより、電子黒板（２ａ，２ｂ）は、通信相手である電子黒板（２ｂ，２ａ）との間で画像データ、音データ、および操作データを送受信することができるようになる。
【０１３３】
（参加の処理）
図２２を用いて、電子黒板２ｂ，２ｃが遠隔共有処理に参加するための処理について説明する。
【０１３４】
ユーザが電子黒板２ａの電源スイッチ１２６をオンにすると、電子黒板２ａのクライアント部２０が起動する。そして、ユーザがタッチパネル等の操作ボタン１２５によってサーバ部９０を起動させる操作をすると、クライアント部２０の遠隔開始処理部６１から同じ電子黒板２ａのサーバ部９０における遠隔接続要求受信部７１に、サーバ部９０の処理を開始させる指示を出力する。これにより、電子黒板２ａでは、クライアント部２０だけでなくサーバ部９０も各種処理を開始可能となる（ステップＳ２１）。
【０１３５】
次に、電子黒板２ａのクライアント部２０におけるＵＩ画像生成部３３が電子黒板２ａとの接続を確立するための接続情報を生成し、映像重畳部２８が、ＵＩ画像生成部３３から表示重畳部３６を介して得た接続情報をディスプレイ３ａに表示させる（ステップＳ２２）。この接続情報には、主催装置のＩＰアドレス、および今回の遠隔共有処理のために生成されたパスコードが含まれている。この場合、パスコード管理部８１０に記憶されているパスコードは、遠隔接続処理部８１によって読み出され、遠隔接続結果送信部７２、遠隔開始処理部６１の順に送信される。さらに、パスコードは、遠隔開始処理部６１を含む通信制御部６０から、画像処理部３０に送信され、最終的にＵＩ画像生成部３３に入力される。これにより、接続情報には、パスコードが含まれる。そして、接続情報は、電子黒板２ａのユーザによって、電話や電子メールにより、電子黒板２ｂ，２ｃのユーザに伝えられる。なお、接続先管理テーブル４４０があれば、接続情報には、主催装置のＩＰアドレスが含まれていなくても、参加装置は参加要求を行うことができる。
【０１３６】
次に、電子黒板２ｂ，２ｃでは、各ユーザによるタッチパネル等の操作ボタン１２５の操作によって接続情報の入力を受け付けると、各電子黒板２ｂ，２ｃのクライアント部２０における遠隔参加処理部６２が、接続情報のＩＰアドレスに基づき、通信ネットワーク９を介して、電子黒板２ａのサーバ部９０における通信制御部７０に対してメッセージ通信ポートの追加を要求するとともにパスコードを送信して参加要求を行う（ステップＳ２３，Ｓ２４）。これにより、通信制御部７０の遠隔接続要求受信部７１は、各電子黒板２ｂ，２ｃから、メッセージ通信ポートの追加要求、参加要求（パスコードを含む）を受信し、メッセージ通信ポートを開くとともにこのパスコードを遠隔接続処理部８１に出力する。ここで、メッセージ通信ポート追加要求でポート番号が指定されてもよいし、メッセージ通信ポート追加要求によって追加するポート番号が予め設定されていてもよい。
【０１３７】
次に、遠隔接続処理部８１は、各電子黒板２ｂ，２ｃから受信したパスコードに対し、パスコード管理部８１０で管理されているパスコードを用いて認証する（ステップＳ２５）。そして、遠隔接続結果送信部７２が、各電子黒板２ｂ，２ｃのクライアント部２０に認証結果を通知する（ステップＳ２６，Ｓ２７）。ステップＳ２５の認証により、各電子黒板２ｂ，２ｃが正当な電子黒板であると判断されていた場合には、主催装置である電子黒板２ａと、参加装置である電子黒板２ｂ，２ｃとの遠隔共有処理の通信が確立され、各電子黒板２ｂ，２ｃのクライアント部２０における遠隔参加処理部６２が、それぞれ他の電子黒板との間の遠隔共有処理の開始を可能にする（ステップＳ２８，Ｓ２９）。
【０１３８】
（出力画像の表示）
続いて、遠隔共有処理における出力画像（Ｃ）が表示される処理について説明する。
【０１３９】
まず、電子黒板２ｂは、ディスプレイ３ｂに出力画像（Ｃ）を表示する（ステップＳ３０）。具体的には、電子黒板２ｂの画像取得部３１が、ノートＰＣ６ｂから映像取得部２１を介して、ノートＰＣ６ｂで表示されている出力画像（Ｃ）のデータを受信し、表示重畳部３６および映像重畳部２８を介してディスプレイ３ｂに送信することで、ディスプレイ３ｂは出力画像（Ｃ）を表示する。
【０１４０】
次に、電子黒板２ｂの画像取得部３１を含む画像処理部３０が、遠隔画像送信部６３に出力画像（Ｃ）のデータを送信することで、遠隔画像送信部６３を含む通信制御部６０が追加メッセージ通信ポートから通信ネットワーク９を介して、主催装置である電子黒板２ａの通信制御部７０に出力画像（Ｃ）のデータを送信する（ステップＳ３１）。例えば、電子黒板２ｂの画像取得部３１を含む画像処理部３０は、遠隔画像送信部６３に出力画像（Ｃ）のデータをテキスト化することによってシリアライズ（直列化）し（図８参照）、インスタントメッセージなどのコミュニケーション用アプリケーションを使用して送信する。画像処理部３０は、出力画像（Ｃ）のデータをシリアライズする際に、配列データをＪＳＯＮ（ジェイソン、JavaScript Object Notation）などのデータ記述言語の形式としてもよい。画像処理部３０が出力画像（Ｃ）のデータをシリアライズする際に、配列データをＪＳＯＮなどのデータ記述言語の形式とすることによって、可読性を向上させることができるとともに、処理効率を向上させることができる。
【０１４１】
電子黒板２ａの遠隔画像受信部７３は、追加メッセージ通信ポートから出力画像（Ｃ）のデータを受信し、遠隔画像処理部８２に出力することで、遠隔画像処理部８２が画像データ記憶部８３０に出力画像（Ｃ）のデータを記憶する。遠隔画像処理部８２は、追加メッセージ通信ポートから受信した出力画像（Ｃ）のデータをデシリアライズ（並列化）し、画像データ記憶部８３０に出力する。
【０１４２】
次に、主催装置である電子黒板２ａは、ディスプレイ３ａに出力画像（Ｃ）を表示する（ステップＳ３２）。具体的には、電子黒板２ａの遠隔画像処理部８２は、遠隔画像受信部７３から受信した出力画像（Ｃ）のデータを、遠隔画像送信部７４に出力する。遠隔画像送信部７４は、同じ主催装置である電子黒板２ａのクライアント部２０における遠隔画像受信部６４に、出力画像（Ｃ）のデータを出力する。遠隔画像受信部６４は、表示重畳部３６に出力画像（Ｃ）のデータを出力する。表示重畳部３６は、映像重畳部２８に出力画像（Ｃ）のデータを出力する。映像重畳部２８はディスプレイ３ａに出力画像（Ｃ）のデータを出力する。これにより、ディスプレイ３ａは、出力画像（Ｃ）を表示する。
【０１４３】
次に、主催装置としての電子黒板２ａのサーバ部９０における遠隔画像送信部７４を含む通信制御部７０は、追加メッセージ通信ポートから通信ネットワーク９を介して、出力画像（Ｃ）のデータの送信元である電子黒板２ｂ以外の電子黒板２ｃの通信制御部６０に出力画像（Ｃ）のデータを送信する（ステップＳ３３）。例えば、電子黒板２ａの画像取得部３１を含む画像処理部３０は、遠隔画像送信部６３に出力画像（Ｃ）のデータをテキスト化することによってシリアライズし（図８参照）、インスタントメッセージなどのコミュニケーション用アプリケーションを使用して送信する。画像処理部３０は、出力画像（Ｃ）のデータをシリアライズする際に、配列データをＪＳＯＮなどのデータ記述言語の形式としてもよい。これにより、参加装置である電子黒板２ｃの遠隔画像受信部６４は、追加メッセージ通信ポートから出力画像（Ｃ）のデータを受信する。
【０１４４】
次に、電子黒板２ｃは、ディスプレイ３ｃに出力画像（Ｃ）を表示する（ステップＳ３４）。具体的には、電子黒板２ｃの遠隔画像受信部６４が、上記ステップＳ３３によって受信された出力画像（Ｃ）のデータを、電子黒板２ｃの表示重畳部３６に出力する。表示重畳部３６は、映像重畳部２８に出力画像（Ｃ）のデータを出力する。映像重畳部２８はディスプレイ３ｃに出力画像（Ｃ）のデータを出力する。これにより、ディスプレイ３ｃは、出力画像（Ｃ）を表示する。
【０１４５】
なお、出力画像（Ｃ）のデータだけでなく、ＵＩ画像（Ａ）、およびストローク画像（Ｂ）の各データが、画像取得部３１に入力されている場合には、表示重畳部３６により、重畳画像（Ａ，Ｂ，Ｃ）が生成され、映像重畳部２８はディスプレイ３ｃに重畳画像（Ａ，Ｂ，Ｃ）のデータを出力する。また、テレビ会議端末７から映像重畳部２８に、テレビ会議用の映像（Ｅ）のデータが送られて来ている場合には、映像重畳部２８は、重畳画像（Ａ，Ｂ，Ｃ）にピクチャー・イン・ピクチャーによりテレビ会議用の映像（Ｅ）のデータを重畳して、ディスプレイ３ｃに出力する。
【０１４６】
（重畳画像の表示）
続いて、図２３を用いて、遠隔共有処理における重畳画像が表示される処理について説明する。
【０１４７】
まず、電子黒板２ｂは、ユーザが電子ペン４ｂを用いて電子黒板２ｂにストローク画像（Ｂ）を描画する（ステップＳ４１）。
【０１４８】
次に、電子黒板２ｂの表示重畳部３６は、ＵＩ画像（Ａ）、および出力画像（Ｃ）に対して、ストローク画像（Ｂ）を重畳し、映像重畳部２８が電子黒板２ｂのディスプレイ３ｂ上に、重畳された重畳画像（Ａ，Ｂ，Ｃ）を表示させる（ステップＳ４２）。具体的には、電子黒板２ｂのストローク処理部３２が座標検知部２２および接触検知部２４からイベント振分部２５を介して、操作データとしてのストローク画像（Ｂ）のデータを受信し、表示重畳部３６に送信する。これにより、表示重畳部３６は、ＵＩ画像（Ａ）、および出力画像（Ｃ）に対して、ストローク画像（Ｂ）を重畳することができ、映像重畳部２８が電子黒板２ｂのディスプレイ３ｂ上に重畳画像（Ａ，Ｂ，Ｃ）を表示させることができる。
【０１４９】
次に、電子黒板２ｂのストローク処理部３２を含む画像処理部３０が、ストローク画像（Ｂ）のデータをテキスト化することによってシリアライズし、該シリアライズしたストローク画像（Ｂ）のデータを遠隔操作送信部６５に送信する。画像処理部３０は、ストローク画像（Ｂ）のデータをシリアライズする際に、配列データをＪＳＯＮなどのデータ記述言語の形式としてもよい。電子黒板２ｂの遠隔操作送信部６５は、追加メッセージ通信ポートから通信ネットワーク９を介して、主催装置である電子黒板２ａの通信制御部７０にストローク画像（Ｂ）のデータを送信する（ステップＳ４３）。電子黒板２ｂのストローク処理部３２を含む画像処理部３０は、ストローク画像（Ｂ）のデータをインスタントメッセージなどのコミュニケーション用アプリケーションを使用して送信する際に、ストローク単位でストローク画像のデータを送信する。電子黒板２ａの遠隔操作受信部７５は、ストローク画像（Ｂ）のデータを追加メッセージ通信ポートから受信し、遠隔操作処理部８３に出力することで、遠隔操作処理部８３が操作合成処理部８４にストローク画像（Ｂ）のデータを出力する。このようにして、電子黒板２ｂで描画されたストローク画像（Ｂ）のデータは、描画される度に、主催装置である電子黒板２ａの遠隔操作処理部８３に順次送信される。このストローク画像（Ｂ）のデータは、図８に示されているストロークデータＩＤ毎に示されるデータである。よって、例えば、上述したように、ユーザが電子ペン４によってアルファベット「Ｔ」を描く場合は二筆書きとなるため、２つのストロークデータＩＤのそれぞれで示されるストローク画像（Ｂ）のデータが順次送信される。電子黒板２ｂのストローク処理部３２を含む画像処理部３０は、ストローク画像（Ｂ）のデータを送信する際に、複数のストローク画像のデータをまとめて送信してもよい。
【０１５０】
次に、主催装置である電子黒板２ａは、ディスプレイ３ａに、電子黒板２ｂから送られて来たストローク画像（Ｂ）のデータが含まれた重畳画像（Ａ，Ｂ，Ｃ）を表示する（ステップＳ４４）。具体的には、電子黒板２ａの操作合成処理部８４は、遠隔操作処理部８３を介して順次送られて来た複数のストローク画像（Ｂ）のデータを合成して、操作データ記憶部８４０に記憶するとともに遠隔操作処理部８３に戻す。これにより、遠隔操作処理部８３は、操作合成処理部８４から受信した、合成後のストローク画像（Ｂ）のデータを、遠隔操作送信部７６に出力する。遠隔操作送信部７６は、同じ主催装置である電子黒板２ａのクライアント部２０における遠隔操作受信部６６に、合成後のストローク画像（Ｂ）のデータを出力する。遠隔操作受信部６６は、画像処理部３０における表示重畳部３６に、合成後のストローク画像（Ｂ）のデータを出力する。よって、表示重畳部３６は、ＵＩ画像（Ａ）、および出力画像（Ｃ）に対して、合成後のストローク画像（Ｂ）を重畳する。最後に、映像重畳部２８が、表示重畳部３６によって重畳された重畳画像（Ａ，Ｂ，Ｃ）をディスプレイ３ａ上に表示させる。
【０１５１】
次に、主催装置としての電子黒板２ａのサーバ部９０における遠隔操作送信部７６を含む通信制御部７０は、追加メッセージ通信ポートから通信ネットワーク９を介して、ストローク画像（Ｂ）のデータの送信元である電子黒板２ｂ以外の電子黒板２ｃの通信制御部６０に、合成後のストローク画像（Ｂ）のデータを追加メッセージ通信ポートから送信する（ステップＳ４５）。電子黒板２ａのストローク処理部３２を含む画像処理部３０は、ストローク画像（Ｂ）のデータを送信する際に、ストローク単位でストローク画像のデータを送信する。これにより、参加装置である電子黒板２ｃの遠隔操作受信部６６は、合成後のストローク画像（Ｂ）のデータを受信する。電子黒板２ａのストローク処理部３２を含む画像処理部３０は、ストローク画像（Ｂ）のデータを送信する際に、複数のストローク画像のデータをまとめて送信してもよい。
【０１５２】
次に、電子黒板２ｃは、ディスプレイ３ｃに重畳画像（Ａ，Ｂ，Ｃ）を表示する（ステップＳ４６）。具体的には、電子黒板２ｃの遠隔操作受信部６６が、上記ステップＳ４５によって受信された合成後のストローク画像（Ｂ）のデータを、電子黒板２ｃの画像処理部３０に出力する。画像処理部３０の表示重畳部３６は、ＵＩ画像（Ａ）、および出力画像（Ｃ）の各データと、合成後のストローク画像（Ｂ）のデータを重畳し、映像重畳部２８に重畳画像（Ａ，Ｂ，Ｃ）のデータを出力する。映像重畳部２８は、ディスプレイ３ｃに重畳画像（Ａ，Ｂ，Ｃ）のデータを出力する。これにより、ディスプレイ３ｃは、重畳画像（Ａ，Ｂ，Ｃ）を表示する。
【０１５３】
なお、上記処理では、ディスプレイ３上に出力画像（Ｃ）が表示されているが、この出力画像（Ｃ）に代えて、背景画像（Ｄ）を表示してもよい。また、出力画像（Ｃ）と背景画像（Ｄ）との排他的な関係をやめて、出力画像（Ｃ）と背景画像（Ｄ）との両方を同時にディスプレイ３上に表示させてもよい。
【０１５４】
（参加の終了）
続いて、図２３を用いて、参加装置が遠隔共有処理への参加を終了する処理について説明する。図２３に示す実施の形態では、電子黒板２ｃが参加を終了する処理が示されている。
【０１５５】
まず、電子黒板２ｃでは、ユーザによるタッチパネル等の操作ボタン１２５の操作によって参加の終了要求を受け付けると、遠隔参加処理部６２は、主催装置としての電子黒板２ａのサーバ部９０における通信制御部７０に、追加メッセージ通信ポートを介して参加の終了要求を行う（ステップＳ４７）。これにより、電子黒板２ａの通信制御部７０の遠隔接続要求受信部７１は、電子黒板２ｃから、参加の終了要求を受信し、遠隔接続処理部８１に、電子黒板２ｃのＩＰアドレスとともに参加の終了要求を出力する。そして、電子黒板２ａの遠隔接続処理部８１は、遠隔接続要求受信部７１から送られて来たＩＰアドレスに基づいて、参加拠点管理テーブル８２０から、参加の終了要求を行った電子黒板２ｃのＩＰアドレスおよび電子黒板２ｃが設置されている拠点の名称を削除し、遠隔接続結果送信部７２に、電子黒板２ｃのＩＰアドレスおよび削除した旨の通知を出力する。
【０１５６】
次に、電子黒板２ａの遠隔接続結果送信部７２を含んだ通信制御部７０が、通信ネットワーク９を介して、電子黒板２ｃのクライアント部２０における通信制御部６０に、参加の終了を指示する（ステップＳ４８）。これにより、電子黒板２ｃにおける通信制御部６０の遠隔参加処理部６２が、遠隔共有処理の通信を切断することで、参加の終了処理を行うことで、参加が終了する（ステップＳ４９）。
【０１５７】
本実施の形態に係る画像処理システムによれば、電子会議システムと、電子黒板を使用する通信システムで共通のメッセージ通信ポートを設定することによって通信経路を設定する。これによって、電子会議システムに、電子黒板を導入した場合に、使用する通信ポートが増加しないため、ネットワーク資源が圧迫されることを防止できる。このため、ネットワーク資源を有用に利用することができる。
【０１５８】
＜第２の実施の形態＞
＜画像処理システムの概要＞
画像処理システム１０００の構成について説明する。図２４は、実施の形態に係る画像処理システム１０００の概略図である。本実施の形態に係る画像処理システム１０００では、第１の実施の形態に係る電子黒板２が有していたサーバ部の機能を配信制御装置によって実現したものである。
【０１５９】
図２４に示されているように、本実施の形態の画像処理システム１０００は、配信制御装置６００、複数の通信端末（５００ａ〜５００ｆ）、および管理装置７００によって構築されている。以下では、複数の通信端末（５００ａ〜５００ｆ）のうち、任意の通信端末を「通信端末５００」として表す。また、配信制御装置６００および管理装置７００は、いずれもサーバコンピュータによって構築されている。
【０１６０】
通信端末５００は、画像処理システム１０００のサービスを受けるユーザが使用する端末である。このうち、通信端末５００ａは、ノートＰＣ（Personal  Computer）である。通信端末５００ｂは、スマートフォンやタブレット端末等のモバイル端末である。通信端末５００ｃは、コピー、スキャン、プリント、およびファックスの各機能が複合されたＭＦＰ（Multifunction  Peripheral／Printer／Product）である。通信端末５００ｄは、プロジェクタである。通信端末５００ｅは、カメラ、マイクおよびスピーカを備えたテレビ（ビデオ）会議端末である。通信端末５００ｆは、ユーザ等によって描かれた内容を電子的に変換することが可能な電子黒板（ホワイトボード）である。
【０１６１】
なお、通信端末５００は、図２４に示されているような端末だけでなく、腕時計、自動販売機、ガスメータ、カーナビゲーション装置、ゲーム機、エアコン、照明器具、カメラ単体、マイク単体、スピーカ単体等であって、インターネット等の通信ネットワークを介して通信可能な装置であってもよい。
【０１６２】
また、配信制御装置６００、通信端末５００、および管理装置７００は、インターネットやＬＡＮ（Local Area Network）等の通信ネットワーク９によって通信することができる。この通信ネットワーク９には、３Ｇ（3rd Generation）、ＷｉＭＡＸ（Worldwide Interoperability for Microwave Access）、ＬＴＥ（Long Term Evolution）等の無線通信によるネットワークも含まれる。
【０１６３】
通信端末５００によっては、通信端末５００ｄ等のように、通信ネットワーク９を介して他の端末やシステムと通信する機能を有していないものがある。しかし、ユーザが通信端末５００ｄのＵＳＢ（Universal Serial Bus）やＨＤＭＩ（High−Definition Multimedia Interface）のインターフェース部にドングルを差し込むことで、通信端末５００ｄは通信ネットワーク９を介して他の端末やシステムと通信可能となる。
【０１６４】
また、配信制御装置６００は、ホワイトボード部６２０を有する。ホワイトボード部６２０におけるレンダラ（Renderer）の機能が、所定の記述言語で示された単一又は複数のコンテンツデータを取得して、レンダリングする。これにより、ＲＧＢ（Red Green Blue）によるビットマップデータ等の静止画データやＰＣＭ（Pulse Code Modulation）データ等の音データ（即ち、静止画（音）データ）としてのフレームデータを生成することができる。コンテンツデータは、任意の通信端末等から取得されたデータであって、ＨＴＭＬ（Hypertext Markup Language）やＣＳＳ（Cascading Style Sheets）による画像（音）データ、ＭＰ４（MPEG-4）による画像（音）データ、ＡＡＣ（Advanced Audio Coding）による音データ等が含まれる。
【０１６５】
さらに、配信制御装置６００は、エンコード部６６０を有し、エンコード部６６０がエンコーダとしての役割を果たすことにより、静止画（音）データとしての各フレームデータを、Ｈ.２６４（MPEG-4 AVC）、Ｈ.２６５、Ｍｏｔｉｏｎ  ＪＰＥＧ等の圧縮符号化方式の映像（音）データに変換する。
【０１６６】
一方、管理装置７００は、通信端末５００のログイン認証を行ったり、通信端末５００の契約情報等の管理を行ったりする。また、管理装置７００は、電子メールを送信するためのＳＭＴＰ（Simple Mail Transfer Protocol）サーバの機能を有している。管理装置７００は、例えば、クラウドのサービス（ＩａａＳ:Infrastructure as a Service）上に展開される仮想マシンとして実現することができる。管理装置７００は、不測の事態に対応して継続的なサービスを提供するために、多重化して運用することが望ましい。
【０１６７】
また、ホワイトボード部６２０は、リアルタイムコミュニケーション（ＲＴＣ：Real−time communication／collaboration）を可能にしている。さらに、配信制御装置６００は後述のエンコード部６６０を有しており、このエンコード部６６０は、ホワイトボード部６２０によって出力されたフレームデータに対して、リアルタイムのエンコードを行い、Ｈ.２６４の規格等に基づく変換により生成された映像（音）データを出力することができる。そのため、配信制御装置６００の処理は、ＤＶＤプレーヤによって、ＤＶＤに記録されているリアルタイム性のない映像（音）データを読み出して配信する場合等とは異なる。
【０１６８】
なお、配信制御装置６００だけでなく、通信端末５００もホワイトボード部を有してもよい。この場合、配信制御装置６００のホワイトボード部６２０を最新化することで、各通信端末５００のホワイトボード部を起動させる必要はなくなる。
【０１６９】
＜各種配信方法＞
次に、各種配信方法について説明する。
【０１７０】
（基本配信）
図２５は、基本的な配信方法を示した概念図である。画像処理システム１０００では、図２５に示されているように、配信制御装置６００のホワイトボード部６２０が、任意の通信端末等から画像（音）データとしてのコンテンツデータ〔Ａ〕を取得してレンダリングすることにより、静止画（音）データとしての各フレームデータ〔Ａ〕を生成する。そして、エンコード部６６０を含むエンコーダブリッジ部６３０が、各フレームデータ〔Ａ〕をエンコード等することによりＨ.２６４等の圧縮符号化方式の映像（音）データ〔Ａ〕（送信データの一例）に変換する。配信制御装置６００は、変換された後の映像（音）データ〔Ａ〕を通信端末５００に配信する。
【０１７１】
さらに、画像処理システム１０００は、上述の配信方法を応用し、コンテンツデータを複数の拠点に映像（音）データとして配信することも可能である。以下に、コンテンツデータを複数の拠点に配信する方法について説明する。
【０１７２】
（マルチキャスト）
図２６は、マルチキャストの概念図である。図２６に示されているように、配信制御装置６００のホワイトボード部６２０は、任意の通信端末等から画像（音）データとしてのコンテンツデータ〔Ａ〕を取得してレンダリングすることにより、静止画（音）データとしての各フレームデータ〔Ａ〕を生成する。そして、エンコーダブリッジ部６３０が、各フレームデータ〔Ａ〕をエンコードして、映像（音）データに変換する。その後、配信制御装置６００は、映像（音）データ〔Ａ〕（送信データの一例）を複数の通信端末（５００ｆ１，５００ｆ２，５００ｆ３）に配信する。
【０１７３】
以上により、複数の拠点では、同じ映像（音）が再生される。この場合、通信端末（５００ｆ１，５００ｆ２，５００ｆ３）は同じ表示再生能力（解像度が同じ等）を有する必要はない。このような配信方法は、例えば「マルチキャスト」と呼ぶ。
【０１７４】
（マルチディスプレイ）
図２７は、マルチディスプレイの概念図である。図２７に示されているように、配信制御装置６００のホワイトボード部６２０は、任意の通信端末等から画像（音）データとしてのコンテンツデータ〔ＸＹＺ〕を取得してレンダリングすることにより、静止画（音）データとしての各フレームデータ〔ＸＹＺ〕を生成する。そして、エンコーダブリッジ部６３０が、フレームデータ〔ＸＹＺ〕毎に、複数のフレームデータ（〔Ｘ〕，〔Ｙ〕，〔Ｚ〕）に分割した後にエンコードすることで、複数の映像（音）データ（〔Ｘ〕，〔Ｙ〕，〔Ｚ〕）に変換する。その後、配信制御装置６００は、映像（音）データ〔Ｘ〕（送信データの一例）を通信端末５００ｆ１に配信する。また、同じように、配信制御装置６００は、映像（音）データ〔Ｙ〕（送信データの一例）を通信端末５００ｆ２に配信し、映像（音）データ〔Ｚ〕（送信データの一例）を通信端末５００ｆ３に配信する。
【０１７５】
以上により、例えば、横長のコンテンツ〔ＸＹＺ〕であっても、複数の通信端末５００で分割して映像（音）が再生されるため、通信端末（５００ｆ１，５００ｆ２，５００ｆ３）を一列に並べて設置すれば、１つの大きな映像を再生させることと同様の効果を得ることができる。この場合、通信端末（５００ｆ１，５００ｆ２，５００ｆ３）は同じ表示再生能力（解像度が同じ等）を有する必要がある。このような配信方法は、例えば「マルチディスプレイ」と呼ぶ。
【０１７６】
（複合配信）
図２８は、配信制御装置６００を介して複数の通信端末を使った複合配信の概念図である。図２８に示されているように、第１の拠点（図２８の右側）では、電子黒板としての通信端末５００ｆ１およびテレビ会議端末としての通信端末５００ｅ１が利用され、第２の拠点（図２８の左側）では、同じく電子黒板としての通信端末５００ｆ２、およびテレビ会議端末としての通信端末５００ｅ２が利用されている。また、第１の拠点では、通信端末５００ｆ１にストロークによる文字等を描画させるための電子ペンＰ１が利用され、第２の拠点では、通信端末５００ｆ２にストロークによる文字等を描画させるための電子ペンＰ２が利用されている。
【０１７７】
そして、第１の拠点において、通信端末５００ｅ１によって取得された映像（音）データは、エンコード部６６０でエンコードされた後に、テキスト化されることよってシリアライズされ、インスタントメッセージなどのコミュニケーション用アプリケーションを使用して、追加メッセージ通信ポートを介して配信制御装置６００に送信される。その後、配信制御装置６００のデコード部６４０で、デシリアライズされ、デコードされて、ホワイトボード部６２０に入力される。また、電子ペンＰ１によって通信端末５００ｆ１に描かれたストロークを示す操作データ（この場合、通信端末５００ｆ１のディスプレイ上における座標データ等）は、テキスト化されることよってシリアライズされ、インスタントメッセージなどのコミュニケーション用アプリケーションを使用して、追加メッセージ通信ポートを介して配信制御装置６００に送信され、ホワイトボード部６２０に入力される。
【０１７８】
一方、第２の拠点においても、通信端末５００ｅ２によって取得された映像（音）データは、エンコード部６６０でエンコードされた後に、テキスト化されることよってシリアライズされ、インスタントメッセージなどのコミュニケーション用アプリケーションを使用して、追加メッセージ通信ポートを介して配信制御装置６００に送信される。その後、配信制御装置６００のデコード部６４０で、デシリアライズされ、デコードされて、ホワイトボード部６２０に入力される。また、電子ペンＰ２によって通信端末５００ｆ２に描かれたストロークを示す操作データ（この場合、通信端末５００ｆ２のディスプレイ上における座標データ等）は、テキスト化されることよってシリアライズされ、インスタントメッセージなどのコミュニケーション用アプリケーションを使用して、追加メッセージ通信ポートを介して配信制御装置６００に送信され、ホワイトボード部６２０に入力される。
【０１７９】
一方、ホワイトボード部６２０は、例えば、任意の通信端末等から通信端末（５００ｆ１，５００ｆ２）のそれぞれのディスプレイに表示される背景画像であるコンテンツデータ〔Ａ〕を取得する。そして、ホワイトボード部６２０は、コンテンツデータ〔Ａ〕、操作データ（〔ｐ１〕，〔ｐ２〕）および映像（音）コンテンツデータ（〔Ｅ１〕，〔Ｅ２〕）を結合してレンダリングすることで、各コンテンツ（〔Ａ〕，〔ｐ１〕，〔ｐ２〕，〔Ｅ１〕，〔Ｅ２〕）が所望のレイアウトに設置された静止画（音）データとしてのフレームデータを生成する。そして、エンコーダブリッジ部６３０は、各フレームデータをエンコードし、テキスト化することよってシリアライズし、インスタントメッセージなどのコミュニケーション用アプリケーションを使用して、配信制御装置６００が各拠点に同じコンテンツ（〔Ａ〕，〔ｐ１〕，〔ｐ２〕，〔Ｅ１〕，〔Ｅ２〕）を示す映像（音）データ（送信データの一例）を追加メッセージ通信ポートを介して配信する。
【０１８０】
これにより、第１の拠点では、通信端末５００ｆ１のディスプレイ上に、映像（〔Ａ〕、〔ｐ１〕、〔ｐ２〕、〔Ｅ１（映像部分）〕および〔Ｅ２（映像部分）〕）が表示されると共に、通信端末５００ｅ１のスピーカから音〔Ｅ２（音部分）〕が出力される。一方、第２の拠点でも、通信端末５００ｆ２のディスプレイ上に、映像（〔Ａ〕、〔ｐ１〕、〔ｐ２〕、〔Ｅ１（映像部分）〕および〔Ｅ２（映像部分）〕）が表示されると共に、通信端末５００ｅ２のスピーカから音〔Ｅ１（音部分）〕が出力される。
【０１８１】
第１の拠点では、通信端末５００ｆ１のエコーキャンセル機能により、自拠点の音〔Ｅ１（音部分）〕は出力されない。一方、第２の拠点では、通信端末５００ｆ２のエコーキャンセル機能により、自拠点の音〔Ｅ２（音部分）〕は出力されない。
【０１８２】
以上により、第１の拠点と第２の拠点とでは、遠隔地間においてリアルタイムで同じ情報を共有する遠隔共有処理を行うことができるため、本実施の形態の画像処理システム１０００は遠隔会議等に有効である。
【０１８３】
＜ハードウェア構成＞
図２９を用いて、本実施の形態に係る装置のハードウェア構成を説明する。図２９は、実施の形態に係る配信制御装置６００および管理装置７００のハードウェア構成図である。
【０１８４】
まず、配信制御装置６００について説明する。図２９に示されているように、配信制御装置６００は、配信制御装置６００全体の動作を制御する（ホスト）ＣＰＵ６０１、ＩＰＬ等のＣＰＵ６０１の駆動に用いられるプログラムを記憶したＲＯＭ６０２、ＣＰＵ６０１のワークエリアとして使用されるＲＡＭ６０３、プログラム等の各種データを記憶するＨＤＤ６０４、ＣＰＵ６０１の制御にしたがってＨＤＤ６０４に対する各種データの読み出し又は書き込みを制御するＨＤＣ（Hard Disk Controller）６０５、フラッシュメモリ等の記録メディア６０６に対するデータの読み出し又は書き込み（記憶）を制御するメディアドライブ６０７、各種情報を表示するディスプレイ６０８、通信ネットワーク９を利用してデータ送信したりドングルを接続したりするためのＩ／Ｆ６０９、キーボード６１１、マウス６１２、マイク６１３、スピーカ６１４、ＧＰＵ（Graphics Processing Unit）６１５、ＧＰＵ６１５の駆動に用いられるプログラムを記憶したＲＯＭ６１６、ＧＰＵ６１５のワークエリアとして使用されるＲＡＭ６１７、上記各構成要素を図２９に示されているように電気的に接続するためのアドレスバスやデータバス等の拡張バスライン６５０を備えている。なお、プロジェクタとしての通信端末５００ｄのように、ＧＰＵが備えられていない場合もある。また、管理装置７００のハードウェア構成は、配信制御装置６００のハードウェア構成と同様であるため、それらの説明を省略する。
【０１８５】
＜機能構成＞
次に、図３０−３３を用いて、本実施の形態に係る装置の機能構成について説明する。
【０１８６】
（配信制御装置の機能構成）
まずは、図３０を用いて、配信制御装置６００の機能構成について説明する。図３０は、本実施の形態に係る配信制御装置６００の各機能を示す機能ブロック図である。図３０では、配信制御装置６００が通信端末５００ｆ１に対して映像（音）データを配信する場合の機能構成が示されているが、配信先が通信端末５００ｆ１以外の場合も、同じ機能構成を有する。なお、配信制御装置６００は、複数の配信エンジンサーバを備えているが、説明を簡単にするために、以下では、単一の配信エンジンサーバを備えている場合について説明する。
【０１８７】
図３０に示されているように、配信制御装置６００は、図２９に示されているＣＰＵ６０１又はＧＰＵ６１５であるプロセッサ等のハードウェア構成およびプログラムによって、図３０に示されている各機能構成を有する。
【０１８８】
具体的に、配信制御装置６００は、ホワイトボード部６２０、送受信部６２１、ホワイトボード制御部６２２、送信用ＦＩＦＯ（First-In First-Out）６２４、時刻管理部６２５、時刻取得部６２６、回線適応制御部６２７、エンコーダブリッジ部６３０、送受信部６３１、受信用ＦＩＦＯ６３４、認識部６３５、遅延情報取得部６３７ａ、回線適応制御部６３７ｂ、およびデコード部６４０を有している。
【０１８９】
さらに、配信制御装置６００は、図２９に示されているＨＤＤ６０４によって構築される記憶部２０００、座標蓄積部１２２、およびデータ管理部１２０を有している。この記憶部２０００には、認識部６３５から出力されホワイトボード制御部６２２を介して送られた後述の認識情報が記憶される。ホワイトボード部６２０が取得したコンテンツデータは、キャッシュとして、記憶部２０００に一時的に記憶しておくこともできる。座標蓄積部１２２は、通信端末５００に入力された座標が記憶される。また、データ管理部１２０は、当該座標から生成されたストロークを示すストロークデータが記憶される。
【０１９０】
送受信部６２１は、管理装置７００や任意の通信端末との間で、各種データ、各種要求、各種指示等の送受信を行う。例えば、送受信部６２１は、任意の通信端末から追加メッセージ通信ポートを介してコンテンツデータを取得する。また、送受信部６２１は、管理装置７００から取得した各種データを配信制御装置６００内の各機能構成に出力したり、管理装置７００から取得した各種データ、各種要求、又は各種指示等に基づいて配信制御装置６００内の各機能構成を制御したりする。例えば、送受信部６２１は、管理装置７００からの配信の切替え要求に基づいて、図３１に示されているエンコーダブリッジ部６３０内の各構成の組み合わせの切替えを行う。
【０１９１】
ホワイトボード制御部６２２は、ホワイトボード部６２０の制御を行う。具体的には、ホワイトボード制御部６２２は、送受信部６３１を介して通信端末５００から、追加メッセージ通信ポートを介して送信されるユーザによる操作を示す各種操作データを取得し、ホワイトボード部６２０に出力する。操作データは、通信端末５００での操作イベント（キーボード６１１やマウス６１２等による操作や電子ペンＰによるストローク等）によって生じたデータである。ユーザによる操作がストロークコマンド（ストロークの指示）であった場合、ホワイトボード制御部６２２は、操作データにおける通信端末５００のディスプレイに入力された座標を、座標蓄積部１２２に保存する。そして、ホワイトボード制御部６２２は、座標蓄積部１２２に保存されて蓄積した全ての座標から、ユーザからの操作によるストロークを示すストロークデータを生成し、ホワイトボード部６２０に出力する。
【０１９２】
また、ホワイトボード制御部６２２は、ユーザによる操作がページコマンド（ページの追加指示）であった場合、追加されたページをホワイトボード部６２０に出力する。また、ホワイトボード制御部６２２は、ユーザによる操作が画像コマンド（画像の追加指示）であった場合、追加された画像をホワイトボード部６２０に出力する。また、ホワイトボード制御部６２２は、ユーザによる操作がいずれでもなかった場合、マウスイベントとしてホワイトボード部６２０に出力する。
【０１９３】
また、通信端末５００に、温度センサ、湿度センサ、および加速度センサ等の各種センサが設けられている場合には、ホワイトボード制御部６２２は、通信端末５００から追加メッセージ通信ポートを介して送信される各センサの出力信号であるセンサ情報を取得し、ホワイトボード部６２０に出力する。さらに、ホワイトボード制御部６２２は、認識部６３５から画像（音）データを取得してホワイトボード部６２０に出力したり、認識部６３５から後述の認識情報を取得して記憶部２０００に記憶したりする。また、ホワイトボード制御部６２２は、受信用ＦＩＦＯ６３４から映像（音）データを取得してホワイトボード部６２０に出力する。
【０１９４】
ホワイトボード部６２０は、レンダラの機能によって、画像（音）データとしてのコンテンツデータ等をレンダリングすることにより、静止画（音）データとしての各フレームデータを生成する。また、レンダラは、図２８に示されているように、複数種類のコンテンツ（〔ｐ１〕，〔ｐ２〕，〔Ｅ１〕，〔Ｅ２〕）のレイアウトを行うレイアウトエンジン（Layout  Engine）でもある。
【０１９５】
また、ホワイトボード部６２０は、ホワイトボード制御部６２２により生成されたストロークデータを取得すると、データ管理部１２０に保存する。このときホワイトボード部６２０は、ストロークデータを例えばテキスト形式や、ＰＤＦ（Portable  Document  Format）形式で保存する。そして、ホワイトボード部６２０は、取得したストロークデータをレンダリングすることにより、静止画（音）データとしてのフレームデータを生成する。この時、ホワイトボード部６２０は、既に取得しているコンテンツデータがあった場合、当該コンテンツデータに対して、操作データであるストロークデータを結合したレイアウトにして出力する。
【０１９６】
また、ホワイトボード部６２０は、ユーザによる操作がページコマンド（ページの追加指示）であった場合、取得したページをデータ管理部１２０に保存する。また、ホワイトボード部６２０は、ユーザによる操作が画像コマンド（画像の追加指示）であった場合、取得した画像をデータ管理部１２０に保存する。
【０１９７】
送信用ＦＩＦＯ６２４は、ホワイトボード部６２０で生成された静止画（音）データとしての各フレームデータを格納するバッファである。
【０１９８】
時刻管理部６２５は、配信制御装置６００独自の時刻Ｔを管理している。
【０１９９】
時刻取得部６２６は、後述の通信端末５００における時刻制御部６５６と連携して、時刻調整の処理を行う。具体的には、時刻取得部６２６は、時刻管理部６２５から配信制御装置６００における時刻Ｔを示す時刻情報（Ｔ）を取得したり、送受信部６３１および送受信部６５１を介して、後述の時刻制御部５５６から通信端末５００における時刻ｔを示す時刻情報（ｔ）を受信したり、時刻制御部５５６に時刻情報（ｔ）および時刻情報（Ｔ）を送信する。
【０２００】
回線適応制御部６２７は、送信遅延時間情報（Ｄ）に基づいて、再生遅延時間Ｕを計算したり、エンコーダブリッジ部６３０における変換部６６１のフレームレートやデータの解像度等の動作条件を計算したりする。この再生遅延時間Ｕは、再生までにデータがバッファリングされることで、再生を遅延させるための時間である。つまり、回線適応制御部６２７は、送信遅延時間情報（Ｄ）とデータのサイズ（ビット数やバイト数等）に基づき、エンコーダブリッジ部６３０の動作を変更する。この送信遅延時間情報（Ｄ）は、通信端末５００における遅延情報取得部５５７が再生制御部５５３から取得した複数の送信遅延時間Ｄ１によって構成された度数分布情報を示す。各送信遅延時間Ｄ１は、映像（音）データが配信制御装置６００によって送信されてから通信端末５００によって受信されるまでの時間を示す。
【０２０１】
エンコーダブリッジ部６３０は、ホワイトボード部６２０が生成した静止画（音）データとしての各フレームデータを、エンコーダブリッジ部６３０における変換部６６１（図３１参照）に出力する。この際、変換部６６１は、回線適応制御部６２７で計算された動作条件を考慮して各処理を行なう。エンコーダブリッジ部６３０については、図３１および図３２を用いて、さらに詳細に説明する。図３１は、エンコーダブリッジ部の詳細図である。また、図３２は、変換部の各機能を示す機能ブロック図である。
【０２０２】
図３１に示されているように、エンコーダブリッジ部６３０は、作成・選択・転送部６６０、および選択部６７０と、これらの間に複数の変換部（６６１ａ，６６１ｂ，６６１ｃ）が構築されている。ここでは、３つの変換部を示したが、１−２個であってもよいし、４個以上であってもよい。以下、任意の変換部を「変換部６６１」として表す。
【０２０３】
さらに、変換部６６１は、ホワイトボード部６２０によって生成された静止画（音）データとしての各フレームデータのデータ形式を、通信ネットワーク９を介して通信端末５００に配信できるＨ.２６４等のデータ形式に変換する。そのため、変換部６６１は、図３２に示されているように、トリミング部６６２、リサイズ部６６３、分割部６６４、およびエンコード部６６５を有することで、フレームデータに各種処理を施す。トリミング部６６２、リサイズ部６６３、および分割部６６４は、音データの場合は、処理を行わない。
【０２０４】
このうち、トリミング部６６２は、静止画の一部だけを切り出す処理を行う。リサイズ部６６３は、静止画の縮尺を変更する。分割部６６４は、図２７に示されているように、静止画を分割する。
【０２０５】
また、エンコード部６６５は、ホワイトボード部６２０で生成された、静止画（音）データとしての各フレームデータをエンコードすることにより、通信ネットワーク９を介して通信端末５００に映像（音）データを配信できるように変換する。また、エンコード部６６５は、映像が動かなければ（フレーム間で更新（変化）がなければ）、以降、映像が動くまでスキップフレーム（「フレームスキップ」ともいう）データを挿入することで帯域をセーブする。
【０２０６】
なお、レンダリングにより静止画データと共に音データが生成される場合には、これら両方のデータがエンコードされるが、音データだけが生成される場合には、トリミングやリサイズ、分割は行われることはなく、エンコードだけが行われてデータ圧縮される。
【０２０７】
また、作成・選択・転送部６６０は、新たに変換部６６１を作成したり、既に作成されている変換部６６１に対して入力させる静止画（音）データとしてのフレームデータを選択したり、変換部６６１にフレームデータを転送したりする。作成する場合としては、作成・選択・転送部６６０は、通信端末５００における映像（音）データの再生能力に応じた変換が可能な変換部６６１を作成する。また、選択する場合としては、作成・選択・転送部６６０は、既に作成されている変換部６６１を選択する。例えば、通信端末５００ａへの配信に加えて通信端末５００ｂへの配信を開始するにあたって、通信端末５００ａへ配信している映像（音）データと同じ映像（音）データを通信端末５００ｂへ配信する場合がある。このような場合で、さらに、通信端末５００ｂが通信端末５００ａにおける映像（音）データの再生能力と同じ再生能力を有する場合には、作成・選択・転送部６６０は通信端末５００ｂ用に新たな変換部６６１ｂを作成せずに、通信端末５００ａ用に既に作成している変換部６６１ａを利用する。また、転送する場合としては、作成・選択・転送部６６０は、送信用ＦＩＦＯ６２４に記憶されているフレームデータを、変換部６６１に転送する。
【０２０８】
一方、選択部６７０は、既に作成されている変換部６６１から所望のものを選択する。これら作成・選択・転送部６６０と選択部６７０による選択によって、図２８に示したような様々なパターンの配信を行うことができる。
【０２０９】
図３０に戻り説明を続ける。送受信部６３１は、通信端末５００との間で、追加メッセージ通信ポートを介して各種データや要求等の送受信を行う。この送受信部６３１が、クラウド上から通信ネットワーク９を介して通信端末５００に各種データや要求等を送信することで、配信制御装置６００は通信端末５００に対して、各種データや要求等を配信することができる。
【０２１０】
例えば、送受信部６３１は、通信端末５００のログイン処理において、通信端末５００の送受信部６５１に対し、ユーザにログイン要求を促すための認証画面データを送信する。また、送受信部６３１は、通信端末５００から、ユーザによる操作を示す操作データを追加メッセージ通信ポートを介して受信する。さらに、送受信部６３１は、変換部６６１によって静止画（音）データとしての各フレームデータが通信ネットワーク９を介して通信端末５００に配信可能なデータ形式に変換されたフレームデータ（変換映像データ）を追加メッセージ通信ポートを介して通信端末５００に送信する。送受信部６３１が、受信部と送信部に相当する。
【０２１１】
その他に、送受信部６３１は、ＨＴＴＰＳ（Hypertext Transfer Protocol over Secure Socket Layer）サーバを介して画像処理システム１０００の独自のプロトコルにより、通信端末５００のユーザアプリや通信端末５００のデバイスアプリへのデータ送信およびデータ受信を行う。この独自のプロトコルは、配信制御装置６００と通信端末との間でリアルタイムに途切れることなくデータを送受信するためのＨＴＴＰＳベースのアプリケーション層プロトコルである。また、送受信部６３１は、送信レスポンス制御、リアルタイムのデータ作成、コマンド送信、受信レスポンス制御、受信データ分析、およびジェスチャ変換を行う。
【０２１２】
このうち、送信レスポンス制御は、配信制御装置６００から通信端末５００にデータを送信するために、通信端末５００からリクエスト（要求）されたダウンロード用のＨＴＴＰＳセッションを管理する処理である。このダウンロード用のＨＴＴＰＳセッションのレスポンスはすぐに終了せず、一定時間（１〜数分）保持する。送受信部６３１は、通信端末５００に送るデータを動的にレスポンスのＢｏｄｙ部に書き込む。また、再接続のコストをなくすため、通信端末５００からは前のセッションが終了しないうちに別のリクエストが届くようにする。送受信部６３１を、前のリクエストが完了するまで待機させておくようにすることで、再接続を行っても、オーバヘッドを削除することができる。
【０２１３】
リアルタイムのデータ作成は、図３２におけるエンコード部６６５で生成された圧縮映像（および圧縮音）のデータに独自のヘッダを付与して、ＨＴＴＰＳのＢｏｄｙ部に書き込む処理である。
【０２１４】
コマンド送信は、通信端末５００に送信するコマンドデータを生成し、通信端末５００へのＨＴＴＰＳのＢｏｄｙ部に書き込む処理である。
【０２１５】
受信レスポンス制御は、配信制御装置６００が通信端末５００からデータを受信するために、通信端末５００からリクエストされたＨＴＴＰＳセッションを管理する処理である。このＨＴＴＰＳセッションのレスポンスはすぐに終了せず、一定時間（１〜数分）保持される。通信端末５００は、配信制御装置６００の送受信部６３１に送るデータを動的にリクエストのＢｏｄｙ部に書き込む。
【０２１６】
受信データ分析は、通信端末５００から送られてきたデータを種別ごとに分析し、必要なプロセスにデータを渡す処理である。
【０２１７】
ジェスチャ変換は、ユーザが電子黒板としての通信端末５００ｆに電子ペンや手書きにより入力したジェスチャイベントを、ホワイトボード部６２０が受け取れる形式のデータに変換する処理である。
【０２１８】
また、受信用ＦＩＦＯ６３４は、デコード部６４０でデコードされた後の映像（音）データを格納するバッファである。
【０２１９】
認識部６３５は、通信端末５００から受信する画像（音）データに対しての処理を行う。具体的には、認識部６３５は、例えば、サイネージ向けにカメラ５６２で撮影された画像から人や動物の顔、年齢、および性別などを認識する。また、認識部６３５は、オフィス向けに、カメラ５６２で撮影された画像から顔認識による名前タグ付けや背景画像の差し替え処理などを行う。認識部６３５は、認識した内容を示す認識情報を記憶部２０００に記憶させる。この認識部６３５は、認識拡張ボードで処理を行うことで高速化が実現される。
【０２２０】
遅延情報取得部６３７ａは、下り用の回線適応制御の処理に用いられる通信端末５００側の遅延情報取得部５５７に対応して、上り用の回線適応制御の処理に用いられる。具体的には、遅延情報取得部６３７ａは、デコード部６４０から送信遅延時間ｄ１を示す送信遅延時間情報（ｄ１）を取得して一定時間保持しておき、複数の送信遅延時間情報（ｄ１）を取得したところで、回線適応制御部６３７ｂに、複数の送信遅延時間ｄ１による度数分布情報を示す送信遅延時間情報（ｄ）を出力する。送信遅延時間情報（ｄ１）は、映像（音）データが通信端末５００によって送信されてから配信制御装置６００によって受信されるまでの時間を示す。
【０２２１】
回線適応制御部６３７ｂは、下り用の回線適応制御の処理に用いられる回線適応制御部６２７に対応して、上り用の回線適応制御の処理に用いられる。具体的には、回線適応制御部６３７ｂは、送信遅延時間情報（ｄ）に基づいて、通信端末５００側のエンコード部５６０の動作条件を計算する。また、回線適応制御部６３７ｂは、送受信部６３１および送受信部６５１を介して通信端末５００のエンコード部５６０に、フレームレートやデータの解像度等の動作条件を示す回線適応制御信号を送信する。
【０２２２】
デコード部６４０は、通信端末５００から送信されて来た映像（音）データをデコードする。
【０２２３】
また、デコード部６４０は、送信遅延時間ｄ１を示す送信遅延時間情報（ｄ１）を遅延情報取得部６３７ａに出力する。
【０２２４】
（通信端末の機能構成）
次に、図３３を用いて、通信端末５００の機能構成について説明する。図３３は、本実施の形態に係る通信端末５００の各機能を示す機能ブロック図である。通信端末５００は、ユーザが画像処理システム１０００へのログインや映像（音）データの配信の開始又は停止などを行うためのインターフェースとなる端末である。
【０２２５】
図３３に示されているように、通信端末５００は、図２９に示されているＣＰＵ６０１等のハードウェア構成およびプログラムによって、図３３に示されている各機能構成を有する。ここで、プログラムは、電子会議システム用プログラムと、電子黒板用プログラムとが用意されてもよい。この場合、電子会議システム用プログラムと、電子黒板用プログラムとが協調してＣＰＵ６０１を動作させる。また、ドングルを差し込まれることで通信端末５００が通信ネットワーク９を介して他の端末やシステムと通信可能となる場合には、図２９に示されているハードウェア構成およびプログラムによって、図３３に示されている各機能構成を有する。
【０２２６】
具体的に、通信端末５００は、デコード部５５０、送受信部５５１、操作部５５２、再生制御部５５３、レンダリング部５５５、時刻制御部５５６、遅延情報取得部５５７、表示部５５８、およびエンコード部５６０を有している。さらに、通信端末５００は、図２９に示されているＲＡＭ６０３によって構築される記憶部５０００を有している。この記憶部５０００には、後述の時刻差Δを示す時刻差情報（Δ）、および通信端末５００における時刻ｔを示す時刻情報（ｔ）が記憶される。
【０２２７】
このうち、デコード部５５０は、配信制御装置６００から配信され、再生制御部５５３から出力された映像（音）データをデシリアライズし、デコードする。デコードした映像（音）データに音声が含まれている場合は、スピーカ５６１により出力する。
【０２２８】
送受信部５５１は、配信制御装置６００の送受信部５３１、および管理装置７００との間で、各種データや要求等の送受信を行う。例えば、送受信部５５１は、通信端末５００のログイン処理において、操作部５５２による通信端末５００の起動に基づき、管理装置７００にログイン要求を行う。
【０２２９】
操作部５５２は、ユーザの操作入力を受け付ける処理を行い、例えば、電源スイッチ、キーボード、マウス、電子ペンＰ等による入力や選択等を受け付け、操作データとして配信制御装置６００のホワイトボード制御部６２２に送信する。
【０２３０】
再生制御部５５３は、送受信部５５１から受けた映像（音）データ（リアルタイムデータのパケット）をバッファリングし、再生遅延時間Ｕを考慮してデコード部５５０に出力する。また、再生制御部５５３は、送信遅延時間Ｄ１を示す送信遅延時間情報（Ｄ１）を算出し、遅延情報取得部５５７に出力する。
【０２３１】
レンダリング部５５５は、デコード部５５０によってデコードされたデータをレンダリングする。
【０２３２】
時刻制御部５５６は、配信制御装置６００の時刻取得部６２６と連携して、時刻調整の処理を行う。具体的には、時刻制御部５５６は、記憶部５０００から通信端末５００における時刻ｔを示す時刻情報（ｔ）を取得する。また、時刻制御部５５６は、送受信部５５１および送受信部５３１を介して、配信制御装置６００の時刻取得部６２６に、配信制御装置６００における時刻Ｔを示す時刻情報（Ｔ）を要求する。この場合、時刻情報（Ｔ）の要求と共に、時刻情報（ｔ）が送信される。
【０２３３】
遅延情報取得部５５７は、再生制御部５５３から送信遅延時間Ｄ１を示す送信遅延時間情報（Ｄ１）を取得して一定時間保持しておき、複数の送信遅延時間情報（Ｄ１）を取得したところで、送受信部５５１および送受信部５３１を介して回線適応制御部６２７に、複数の送信遅延時間Ｄ１による度数分布情報を示す送信遅延時間情報（Ｄ）を送信する。送信遅延時間情報（Ｄ）は、例えば、１００フレームに１回送信される。
【０２３４】
表示部５５８は、レンダリング部５５５によってレンダリングされたデータを再生する。
【０２３５】
エンコード部５６０は、内蔵されたマイク６１３や、外付けのカメラ５６２およびマイク５６３から取得してエンコードし、テキスト化することによってシリアライズした映像（音）データ〔Ｅ〕と、記憶部５０００から取得した現時点の通信端末５００における時刻ｔ０を示す時刻情報（ｔ０）と、同じく記憶部５０００から取得した時刻差Δを示す時刻差情報（Δ）を、送受信部５５１および送受信部５３１を介して、配信制御装置６００のデコード部６４０に送信する。時刻差Δとは、配信制御装置６００独自で管理されている時刻と通信端末５００独自で管理されている時刻との差である。
【０２３６】
また、エンコード部５６０は、回線適応制御部６３７ｂから受信した回線適応制御信号で示される動作条件に基づいて、エンコード部５６０の動作条件を変更する。さらに、エンコード部５６０は、新たな動作条件に従って、カメラ５６２およびマイク５６３から取得してエンコードしテキスト化することによってシリアライズした映像（音）データ〔Ｅ〕と、記憶部５０００から取得した現時点の通信端末５００における時刻ｔ０を示す時刻情報（ｔ０）と、記憶部５０００から取得した時刻差Δを示す時刻差情報（Δ）とを、コミュニケーション用アプリケーションを使用して送受信部５５１および送受信部５３１を介して、追加メッセージ通信ポートから配信制御装置６００のデコード部６４０に送信する。
【０２３７】
なお、内蔵されたマイク６１３、外付けのカメラ５６２およびマイク５６３等は、入力手段の一例であり、エンコードやデコードが必要な各種デバイスである。入力手段は、映像（音）データの他に、触覚（touch）データや嗅覚（smell）データを出力することができてもよい。入力手段には、温度センサ、方位センサ、加速度センサ等の各種センサも含まれる。
【０２３８】
＜動作または処理＞
続いて、図３４〜３７を用いて、本実施の形態の動作または処理について説明する。これらの処理は、配信制御装置６００、通信端末５００、および管理装置７００における各ＣＰＵが、それぞれに格納されているプログラムに従って動作することにより実行される処理である。
【０２３９】
（基本的な配信処理）
まず、図３４を用いて、図２５に示されている基本的な配信方法における具体的な配信処理を説明する。図３４は、本実施の形態に係る配信制御装置の基本的な配信処理を示したシーケンス図である。ここでは、通信端末５００ａを用いてログイン要求する場合について説明するが、通信端末５００ａ以外の通信端末５００を用いてログインしてもよい。
【０２４０】
図３４に示されているように、通信端末５００ａにおいてユーザが電源オンにすると、通信端末５００ａの送受信部５５１は、管理装置７００にログイン要求を送信する（ステップＳ５１）。これにより、管理装置７００は、ログイン要求を受信し、通信端末５００ａの認証を行う（ステップＳ５２）。ここでは、通信端末５００ａが画像処理システム１０００における正当な端末であると認証された場合について、以下に続けて説明する。
【０２４１】
管理装置７００は、通信端末５００ａの送受信部５５１に、配信制御装置６００のＩＰアドレスを送信する（ステップＳ５３）。配信制御装置６００のＩＰアドレスは、予め、管理装置７００によって配信制御装置６００から取得されて記憶されている。
【０２４２】
次に、管理装置７００は、配信制御装置６００の送受信部６２１に、配信処理の開始要求を行う（ステップＳ５４）。これにより、送受信部６２１は、配信制御装置処理の開始要求を受信する。そして、ホワイトボード制御部６２２は、送受信部６２１によって受信された開始要求に基づいて、ホワイトボード部６２０を制御する。
【０２４３】
次に、エンコーダブリッジ部６３０の作成・選択・転送部６６０は、通信端末５００ａの再生能力（ディスプレイの解像度等）およびコンテンツの種類に従って変換部６６１を作成する（ステップＳ５５）。ここで、通信端末５００ａの送受信部５５１は、配信制御装置６００にメッセージ通信ポート追加要求を送信するようにしてもよい。ここで、メッセージ通信ポート追加要求でポート番号が指定されてもよいし、メッセージ通信ポート追加要求によって追加するポート番号が予め設定されていてもよい。配信制御装置６００は、通信端末５００ａによって送信されたメッセージ通信ポート追加要求に応じて、メッセージ通信ポートを開き、メッセージ通信ポートを開いたことを通信端末５００ａに通知する。
【０２４４】
次に、送受信部６２１は、ホワイトボード部６２０の命令に従い、任意の通信端末５００から追加メッセージ通信ポートを介してコンテンツデータ〔Ａ〕を取得する（ステップＳ５６）。
【０２４５】
次に、ホワイトボード部６２０が、送受信部６２１によって取得されたコンテンツデータ〔Ａ〕をレンダリングすることにより、静止画（音）データとしての各フレームデータを生成して、送信用ＦＩＦＯ６２４に出力する（ステップＳ５７）。そして、変換部６６１が、送信用ＦＩＦＯ６２４に格納された各フレームデータをエンコードし、テキスト化することによってシリアライズし、通信端末５００ａに配信すべき映像（音）データ〔Ａ〕に変換する（ステップＳ５８）。
【０２４６】
次に、送受信部６３１は、追加メッセージ通信ポートから通信端末５００ａの送受信部６５１に映像（音）データ〔Ａ〕を送信する（ステップＳ５９）。これにより、通信端末５００ａの送受信部５５１は、映像（音）データ〔Ａ〕を受信して、再生制御部５５３に出力する。
【０２４７】
次に、通信端末５００ａでは、デコード部５５０が再生制御部５５３から映像（音）データ〔Ａ〕を取得してデコードし、デシリアライズする（ステップＳ６０）。その後、スピーカ５６１は、デコードされた音データ〔Ａ〕に基づいて音を再生すると共に、表示部５５８は、レンダリング部５５５によってデコード部５５０から取得されてレンダリングされた映像データ〔Ａ〕に基づいて映像を再生する（ステップＳ６１）。
【０２４８】
（複数の通信端末を使った複合配信の処理）
次に、図３５を用いて、配信制御装置を介して複数の通信端末を使った通信の処理を説明する。図３５は、実施の形態に係る配信制御装置６００を介して複数の通信端末５００を使った配信の処理を示すシーケンス図である。ここでは、複数の通信端末５００として、図２８に示されているパターンについて具体的な処理を説明する。図３５では、図３４におけるステップＳ５１〜Ｓ５５と同様のログイン処理、開始要求、および変換部の作成を行った後の処理とする。
【０２４９】
通信端末５００ｆ１のエンコード部５６０が、カメラ５６２およびマイク５６３から映像（音）データ〔Ｅ〕としてのコンテンツデータの入力を受け付けると（ステップＳ７１）、エンコード部５６０はコンテンツデータ〔Ｅ〕をエンコードする（ステップＳ７２）。送受信部５５１は、エンコード部５６０によってエンコードされたコンテンツデータ〔Ｅ〕を、配信制御装置６００の送受信部６３１に送信する（ステップＳ７３）。これにより、配信制御装置６００の送受信部６３１は、コンテンツデータ〔Ｅ〕を受信する。
【０２５０】
次に、配信制御装置６００のデコード部６４０は、送受信部６３１によって受信されたコンテンツデータ〔Ｅ〕をデコードして、受信用ＦＩＦＯ６３４に出力する（ステップＳ７４）。そして、ホワイトボード部６２０が、受信用ＦＩＦＯ６３４に格納されたコンテンツデータ〔Ｅ〕をレンダリングすることにより、静止画（音）データとしてのフレームデータ〔Ｅ〕を生成して、送信用ＦＩＦＯ６２４に出力する（ステップＳ７５）。この場合、ホワイトボード部６２０は、既に取得しているコンテンツデータがあった場合、コンテンツデータ〔Ｅ〕を結合したレイアウトにして出力する。
【０２５１】
さらに、通信端末５００ｆ１の操作部５５２が、電子ペンＰ１によるストローク操作の入力を受け付けると（ステップＳ７６）、送受信部５５１は、操作部５５２によって受け付けられたストローク操作の内容を示す操作データ〔ｐ〕を、配信制御装置６００の送受信部６３１に送信する（ステップＳ７７）。これにより、配信制御装置６００の送受信部６３１は、操作データ〔ｐ〕を受信する。そして、ホワイトボード制御部６２２は、送受信部６３１によって受信された操作データ〔ｐ〕をホワイトボード部６２０に出力する。
【０２５２】
次に、ホワイトボード部６２０は、操作データ〔ｐ〕をレンダリングすることにより、静止画（音）データとしてのフレームデータ〔ｐ〕を生成して、送信用ＦＩＦＯ６２４に出力する（ステップＳ７８）。この場合、ホワイトボード部６２０は、既に取得しているコンテンツデータ〔Ｅ〕に対して、操作データ〔ｐ〕を結合したレイアウトにして出力する。
【０２５３】
次に、変換部６６１が、送信用ＦＩＦＯ６２４に格納された静止画（音）データとしての各フレームデータ（〔Ｅ〕，〔ｐ〕）をエンコードし、テキスト化することによってシリアライズすることで、通信端末５００ａに配信すべき映像（音）データ（〔Ｅ〕，〔ｐ〕）に変換する（ステップＳ７９）。
【０２５４】
次に、送受信部６３１は、変換部６６１を含むエンコーダブリッジ部６３０からエンコード後の映像（音）データ（〔Ｅ〕，〔ｐ〕）を取得し、通信端末５００ｆ１の送受信部５５１に追加メッセージ通信ポートを介して送信する（ステップＳ８０−１）。これにより、通信端末５００ｆ１の送受信部５５１は、映像（音）データ（〔Ｅ〕，〔ｐ〕）を追加メッセージ通信ポートを介して受信し、通信端末５００ｆ１の再生制御部５５３が送受信部５５１から映像（音）データ（〔Ｅ〕，〔ｐ〕）を取得する。
【０２５５】
そして、通信端末５００ｆ１では、デコード部５５０が再生制御部５５３から映像（音）データ（〔Ｅ〕，〔ｐ〕）を取得してデコードする（ステップＳ８１−１）。その後、スピーカ５６１は、デコードされた音データ〔Ｅ〕に基づいて音を再生すると共に、表示部５５８は、レンダリング部５５５によってデコード部５５０から取得されてレンダリングされた映像データ（〔Ｅ〕，〔ｐ〕）に基づいて映像を再生する（ステップＳ８２−１）。
【０２５６】
また、通信端末５００ｆ２に対しても、ステップＳ８０−１と同様に、送受信部５３１は、エンコーダブリッジ部６３０からエンコード後の映像（音）データ（〔Ｅ〕，〔ｐ〕）を取得し、通信端末５００ｆ２の送受信部５５１に送信する（ステップＳ８０−２）。これにより、通信端末５００ｆ２の再生制御部５５３が映像（音）データ（〔Ｅ〕，〔ｐ〕）を取得する。
【０２５７】
そして、通信端末５００ｆ２では、デコード部５５０が再生制御部５５３から映像（音）データ（〔Ｅ〕，〔ｐ〕）を取得してデコードする（ステップＳ８１−２）。その後、スピーカ５６１は、デコードされた音データ〔Ｅ〕に基づいて音を再生すると共に、表示部５５８は、レンダリング部５５５によってデコード部５５０から取得されてレンダリングされた映像データ（〔Ｅ〕，〔ｐ〕）に基づいて映像を再生する（ステップＳ８２−２）。
【０２５８】
以上より、通信端末５００ｆ１で出力される映像（音）と同じ映像（音）が、通信端末５００ｆ２でも出力されることになる。
【０２５９】
次に、図３５のステップＳ７８におけるホワイトボード部６２０のレンダリング処理の詳細について説明する。図３６は、本実施の形態に係る配信制御装置のホワイトボード部によるレンダリング処理の流れを示すフローチャートである。
【０２６０】
まず、ホワイトボード制御部６２２は、送受信部６３１によって受信したデータが操作データ〔ｐ〕であるか否かを判断する（ステップＳ９１）。受信したデータが操作データでなかった場合（ステップＳ９１：Ｎｏ）、すなわちコンテンツデータ〔Ｅ〕であった場合、ホワイトボード部６２０は、コンテンツデータ〔Ｅ〕をレンダリングする（ステップＳ９９）。この処理が図３５におけるステップＳ７５のレンダリング処理となる。
【０２６１】
一方、受信したデータが操作データであった場合（ステップＳ９１：Ｙｅｓ）、ホワイトボード制御部６２２は、操作データに含まれるコマンドがストロークコマンドか否かを判断する（ステップＳ９２）。操作データに含まれるコマンドがストロークコマンドであった場合（ステップＳ９２：Ｙｅｓ）、ホワイトボード制御部６２２は、マウスアップイベントを受信したか否かを判断する（ステップＳ９３）。
【０２６２】
マウスアップイベントを受信していない場合（ステップＳ９３：Ｎｏ）、ホワイトボード制御部６２２は、送信ＩＤとともに操作データに含まれる座標を座標蓄積部１２２に保存する（ステップＳ９４）。送信ＩＤとは、スクロールコマンドを含む操作データを受信した際に付される識別番号である。
【０２６３】
ここで、座標蓄積部１２２には、図３７に示すように、操作データに含まれる色、太さのようなメタストローク情報を蓄積してもよい。また、座標はＸ，Ｙ座標に加え、時刻や圧力の情報を含んで構成してもよい。以下では、ストロークデータはメタストローク情報と座標列とから生成されているものとする。
【０２６４】
一方、ステップＳ９３において、マウスアップイベントを受信した場合（ステップＳ９３：Ｙｅｓ）、ホワイトボード制御部６２２は、座標蓄積部１２２に送信ＩＤに関連する座標が蓄積されているか否かを判断する（ステップＳ９５）。座標蓄積部１２２に送信ＩＤに関連する座標が蓄積されていない場合（ステップＳ９５：Ｎｏ）、何もせず処理を終了する。
【０２６５】
一方、座標蓄積部１２２に送信ＩＤに関する座標が蓄積されている場合（ステップＳ９５：Ｙｅｓ）、ホワイトボード制御部６２２は、座標蓄積部１２２に蓄積されている全ての座標を取り出し、取り出した全ての座標からストロークを示すストロークデータを生成する（ステップＳ９６）。なお、ホワイトボード制御部６２２は、取り出した座標は座標蓄積部１２２から削除する。
【０２６６】
次に、ホワイトボード制御部６２２は、生成したストロークデータをホワイトボード部６２０に出力する（ステップＳ９７）。ホワイトボード部６２０は、取得したストロークデータをデータ管理部１２０に保存する（ステップＳ９７）。そして、ホワイトボード部６２０は、取得したストロークデータをレンダリングする（ステップＳ９９）。
【０２６７】
ステップＳ９２において、操作データに含まれるコマンドがストロークコマンドでなかった場合（ステップＳ９２：Ｎｏ）、ホワイトボード制御部６２２は、操作データに含まれるコマンドがページコマンドか否かを判断する（ステップＳ１００）。
【０２６８】
操作データに含まれるコマンドがページコマンドであった場合（ステップＳ１００：Ｙｅｓ）、ホワイトボード制御部６２２は、追加ページをホワイトボード部６２０に出力する（ステップＳ１０１）。ホワイトボード部６２０は、取得したページをデータ管理部１２０に保存し（ステップＳ１０２）、レンダリングする（ステップＳ９９）。
【０２６９】
一方、操作データに含まれるコマンドがページコマンドでなかった場合（ステップＳ１００：Ｎｏ）、ホワイトボード制御部６２２は、操作データに含まれるコマンドが画像コマンドか否かを判断する（ステップＳ１０３）。
【０２７０】
操作データに含まれるコマンドが画像コマンドであった場合（ステップＳ１０３：Ｙｅｓ）、ホワイトボード制御部６２２は、追加画像をホワイトボード部６２０に出力する（ステップＳ１０４）。ホワイトボード部６２０は、取得した画像をデータ管理部１２０に保存し（ステップＳ１０５）、レンダリングする（ステップＳ９９）。
【０２７１】
一方、操作データに含まれるコマンドが画像コマンドでなかった場合（ステップＳ１０３：Ｎｏ）、ホワイトボード制御部６２２は、マウスイベントとしてホワイトボード部６２０に出力し（ステップＳ１０６）、ホワイトボード部６２０がレンダリングする（ステップＳ９９）。なお、データ管理部１２０でのデータ登録時に、ホワイトボード部６２０は、全ページからＰＤＦデータを生成し、バックアップデータとしてデータ管理部１２０に保存する。
【０２７２】
本実施の形態に係る配信制御装置６００では、通信端末５００のディスプレイに入力された座標を保存し、蓄積した全ての座標からユーザからの操作によるストロークを示すストロークデータを生成する。そして、生成されたストロークデータを保存した上で、取得したストロークデータをレンダリングすることにより、静止画（音）データとしてのフレームデータを生成する。この時、既に取得しているコンテンツデータがあった場合、当該コンテンツデータに対して、操作データであるストロークデータを結合したレイアウトにして出力する。そして、静止画（音）データとしての各フレームデータを通信端末５００に配信可能なデータ形式に変換されたフレームデータを通信端末５００に送信すると、通信端末５００のディスプレイに再生される。このように、フレームデータ（映像データ）の配信時におけるユーザによる操作入力を保存することで、フレームデータの配信後もストローク等の操作入力をディスプレイに表示でき、利便性を向上させる。
【０２７３】
本実施の形態に係る配信制御装置６００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【０２７４】
また、本実施の形態に係る配信制御装置６００で実行されるプログラムを、インターネット等のネットワークに接続されたコンピュータ上に格納し、ネットワーク経由でダウンロードさせることにより提供するように構成してもよい。また、本実施の形態に係る配信制御装置６００で実行されるプログラムをインターネット等のネットワーク経由で提供または配布するように構成してもよい。また、本実施の形態に係る配信制御装置６００で実行されるプログラムを、ＲＯＭ等に予め組み込んで提供するように構成してもよい。
【０２７５】
本実施の形態に係る配信制御装置６００で実行されるプログラムは、上述した各部（送受信部６２１、ホワイトボード制御部６２２、送信用ＦＩＦＯ６２４、時刻管理部６２５、時刻取得部６２６、回線適応制御部６２７、エンコーダブリッジ部６３０、送受信部６３１、受信用ＦＩＦＯ６３４、認識部６３５、遅延情報取得部６３７ａ、回線適応制御部６３７ｂ、デコード部６４０）を含むモジュール構成となっている。さらに、本実施の形態に係る配信制御装置６００は、実際のハードウェアとしてはＣＰＵ（プロセッサ）が上記記憶媒体からプログラムを読み出して実行することにより上記各部が主記憶装置上にロードされ、上記各部が主記憶装置上に生成されるようになっている。また、例えば、上述した各部の機能のうちの一部または全部が専用のハードウェア回路で実現されてもよい。
【０２７６】
本実施の形態に係る画像処理システムによれば、電子会議システムと、電子黒板を使用する通信システムで共通のメッセージ通信ポートを設定することによって通信経路を設定する。これによって、電子会議システムに、電子黒板を導入した場合に、使用する通信ポートが増加しないため、ネットワーク資源が圧迫されることを防止できる。このため、ネットワーク資源を有用に利用することができる。さらに、配信制御装置を設けたことによって、電子黒板などの通信端末の処理負荷を低減できる。
【０２７７】
上述した実施の形態を適宜組み合わせることも可能である。
【０２７８】
上述した実施例において、画像形成システムは情報処理システムの一例であり、通信端末５００、電子黒板２は情報処理装置の例であり、第１の情報処理システムは会議システムの一例であり、第２の情報処理システムは電子黒板２を用いた通信システムの一例である。また、遠隔開始処理部６１、遠隔参加処理部６２は設定部の例であり、映像重畳部２８、表示重畳部３６はコンテンツ処理部の例であり、座標検知部２２、接触検知部２４は操作受付部の例であり、電子黒板２用のプログラムは情報処理プログラムの一例である。
【０２７９】
本発明は特定の実施例、変形例を参照しながら説明されてきたが、各実施例、変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアでまたはそれらの組み合わせで実現されてもよい。本発明は上記実施例に限定されず、本発明の精神から逸脱することなく、様々な変形例、修正例、代替例、置換例等が包含される。
【０２８０】
本国際特許出願は、２０１５年５月７日に出願した日本国特許出願第２０１５−０９４６５４号に基づきその優先権を主張するものであり、日本国特許出願第２０１５−０９４６５４号の全内容を参照によりここに援用する。
【符号の説明】
【０２８１】
１、１０００  画像処理システム
２  電子黒板
３  ディスプレイ
４  電子ペン
５  ＵＳＢメモリ
６  ノートＰＣ
７  テレビ会議端末
８  ＰＣ
９  通信ネットワーク
５０  伝送管理システム
５００  通信端末
６００  配信制御装置
７００  管理装置
【図１】
2016178365.tif 000003
【図２】
2016178365.tif 000004
【図３】
2016178365.tif 000005
【図４】
2016178365.tif 000006
【図５】
2016178365.tif 000007
【図６】
2016178365.tif 000008
【図７】
2016178365.tif 000009
【図８】
2016178365.tif 000010
【図９】
2016178365.tif 000011
【図１０】
2016178365.tif 000012
【図１１】
2016178365.tif 000013
【図１２】
2016178365.tif 000014
【図１３】
2016178365.tif 000015
【図１４】
2016178365.tif 000016
【図１５】
2016178365.tif 000017
【図１６】
2016178365.tif 000018
【図１７】
2016178365.tif 000019
【図１８】
2016178365.tif 000020
【図１９】
2016178365.tif 000021
【図２０】
2016178365.tif 000022
【図２１】
2016178365.tif 000023
【図２２】
2016178365.tif 000024
【図２３】
2016178365.tif 000025
【図２４】
2016178365.tif 000026
【図２５】
2016178365.tif 000027
【図２６】
2016178365.tif 000028
【図２７】
2016178365.tif 000029
【図２８】
2016178365.tif 000030
【図２９】
2016178365.tif 000031
【図３０】
2016178365.tif 000032
【図３１】
2016178365.tif 000033
【図３２】
2016178365.tif 000034
【図３３】
2016178365.tif 000035
【図３４】
2016178365.tif 000036
【図３５】
2016178365.tif 000037
【図３６】
2016178365.tif 000038
【図３７】
2016178365.tif 000039
【手続補正書】
【提出日】平成28年9月21日(2016.9.21)
【手続補正１】
【補正対象書類名】明細書
【補正対象項目名】０００２
【補正方法】変更
【補正の内容】
【０００２】
することが必要となる。このため、電子黒板の導入先において、ネットワーク資源を圧迫するおそれがある。
［０００６］
以上は、テレビ会議システムなどの第１の情報処理システムに電子黒板などの第２の情報処理システムの機能を導入する場合に当てはまる。
［０００７］
本発明は上記の問題点に鑑み提案されたものであり、その目的とするところは、第１の情報処理システムである電子会議システムに第２の情報処理システムである電子黒板を使用する通信システムの機能を導入した場合にネットワーク資源を有用に利用することにある。
課題を解決するための手段
［０００８］
開示の一実施の形態の情報処理装置は、
通信ネットワークを介して接続される情報処理装置であって、
第１のコンテンツの第１のコンテンツデータを送信するために、前記情報処理装置と他の情報処理装置との間で通信ポートを開くことによって通信経路を設定する設定部と、
第１の情報処理システムである電子会議システムにしたがって前記第１のコンテンツの前記第１のコンテンツデータを送信するために前記情報処理装置と前記他の情報処理装置との間で通信ポートを開くことにより設定された前記通信経路から、該他の情報処理装置に第２の情報処理システムである電子黒板を使用する通信システムにしたがって前記第１のコンテンツに関して作成される第２のコンテンツの第２のコンテンツデータを送信する送信部
を有する。
発明の効果
［０００９］
開示の実施の形態によれば、第１の情報処理システムである電子会議システムに第２の情報処理システムである電子黒板を使用する通信システムの機能を導入した場合にネットワーク資源を有用に利用することができる。
図面の簡単な説明
［００１０］
［図１］本実施の形態に係る画像処理システムの全体構成図である。
［図２］電子黒板のハードウェア構成図である。
［図３］伝送管理システムのハードウェア構成図である。
［図４］電子黒板の機能ブロック図である。
［図５］ファイル処理部の機能ブロック図である。
［図６］サーバ部及び通信制御部の機能ブロック図である。
［図７］ページデータを示す概念図である。
【手続補正書】
【提出日】平成29年2月17日(2017.2.17)
【手続補正１】
【補正対象書類名】特許請求の範囲
【補正対象項目名】全文
【補正方法】変更
【補正の内容】
【特許請求の範囲】
【請求項１】
通信ネットワークを介して接続される情報処理装置であって、
第１のコンテンツの第１のコンテンツデータを送信するために、前記情報処理装置と他の情報処理装置との間で通信ポートを追加することによって通信経路を設定する設定部と、
第１の情報処理システムである電子会議システムにしたがって前記第１のコンテンツの前記第１のコンテンツデータを送信するために前記情報処理装置と前記他の情報処理装置との間に前記通信経路を設定するために追加された前記通信ポートから、該他の情報処理装置に第２の情報処理システムである電子黒板を使用する通信システムにしたがって前記第１のコンテンツに関して作成される第２のコンテンツの第２のコンテンツデータを送信する送信部
を有する、情報処理装置。
【請求項２】
（削除）
【請求項３】
前記情報処理装置に入力される前記第１のコンテンツを表示するコンテンツ処理部と、
前記第１のコンテンツに対する操作を受け付ける操作受付部と、
該操作受付部によって受け付けた操作に基づいて、前記第２のコンテンツの第２のコンテンツデータを作成する操作処理部と
を有する、請求項１に記載の情報処理装置。
【請求項４】
前記操作処理部は、前記第２のコンテンツデータを直列化し、
前記送信部は、前記直列化した前記第２のコンテンツデータを前記通信経路から前記他の情報処理装置に送信する、請求項３に記載の情報処理装置。
【請求項５】
（削除）
【請求項６】
前記操作処理部は、前記第１のコンテンツに対する操作に基づいて入力された座標からストロークを示すストロークデータを生成する、請求項３または４に記載の情報処理装置。
【請求項７】
通信ネットワークを介して接続される情報処理装置によって実行される情報処理方法であって、
第１のコンテンツの第１のコンテンツデータを送信するために、前記情報処理装置と他の情報処理装置との間で通信ポートを追加することによって通信経路を設定し、
第１の情報処理システムである電子会議システムにしたがって前記第１のコンテンツの前記第１のコンテンツデータを送信するためのセッションを確立した前記他の情報処理装置との間に前記通信経路を設定するために追加された前記通信ポートから、該他の情報処理装置に第２の情報処理システムである電子黒板を使用する通信システムにしたがって前記第１のコンテンツに関して作成される第２のコンテンツの第２のコンテンツデータを送信する、情報処理方法。
【請求項８】
請求項７に記載の情報処理方法を情報処理装置に実行させるための情報処理プログラム。
【請求項９】
前記電子会議システムおよび前記電子黒板を使用する通信システムは、それぞれのプログラムによって実現される、請求項１、３、４、および６のいずれか１項に記載の情報処理装置。
【国際調査報告】
2016178365.tif 000040
2016178365.tif 000041
2016178365.tif 000042
2016178365.tif 000043